(57)【要約】【課題】バーストノイズによる信号誤検出を防ぎ、ノイズ耐性の性能を向上させることができる無線通信機を提供する。【解決手段】ベースバンド信号の基準振幅レベルが異なる複数の変調方式に対応した無線通信機１５０は、受信アンテナを介して受信した信号を増幅するＲＦ部１３０と、ＲＦ部１３０の利得を調整するときに参照される振幅レベルを記憶している調整用振幅レベル記憶部１０５と、調整用振幅レベル記憶部１０５で記憶されている振幅レベルを、複数の変調方式に対して共用して、ＲＦ部１３０の利得を調整するＡＧＣ部１０１とを備える。【選択図】図２
2008177869.tif 000002
【特許請求の範囲】
【請求項１】
ベースバンド信号の基準振幅レベルが異なる複数の変調方式に対応した無線通信機であって、
受信アンテナを介して受信した信号を増幅する増幅手段と、
前記増幅手段の利得を調整するときに参照される振幅レベルを記憶している振幅レベル記憶手段と、
前記振幅レベル記憶手段で記憶されている振幅レベルを、前記複数の変調方式に対して共用して、前記増幅手段の利得を調整する自動利得制御手段と
を備えることを特徴とする無線通信機。
【請求項２】
前記無線通信機は、
受信した信号が所定の変調方式で変調された信号であるか否かを判定する変調方式判定手段と、
前記変調方式判定手段で判定された結果、受信した信号が所定の変調方式で変調された信号である場合は、各変調方式に最適な複数の振幅レベルの中から、前記所定の変調方式に最適な振幅レベルを選択する振幅レベル選択手段と
を備え、
前記自動利得制御手段は、前記振幅レベル選択手段で選択された振幅レベルを使用して、前記増幅手段の利得を再調整する
ことを特徴とする請求項１に記載の無線通信機。
【請求項３】
前記無線通信機は、
受信した信号が所定の変調方式で変調された信号であるか否かを判定する変調方式判定手段と、
前記変調方式判定手段で判定された結果、受信した信号が所定の変調方式で変調された信号である場合は、各変調方式に最適な複数の振幅レベルの中から、前記所定の変調方式に最適な振幅レベルを選択する振幅レベル選択手段と
を備え、
前記自動利得制御手段は、前記複数の変調方式に対して共用される振幅レベルと、前記振幅レベル選択手段で選択された振幅レベルとの差を計算し、計算結果を加味して前記増幅手段の利得を再調整する
ことを特徴とする請求項１に記載の無線通信機。
【請求項４】
前記自動利得制御手段は、各変調方式に最適な複数の振幅レベルのうち、プリアンブル長の最も短い変調方式に最適な振幅レベルを、前記複数の変調方式に対して共用される振幅レベルとする
ことを特徴とする請求項１に記載の無線通信機。
【請求項５】
前記自動利得制御手段は、各変調方式に最適な複数の振幅レベルのうち、最も大きい振幅レベルを、前記複数の変調方式に対して共用される振幅レベルとする
ことを特徴とする請求項１に記載の無線通信機。
【請求項６】
前記無線通信機は、
受信した信号の電界レベルを計測する電界レベル計測手段と、
前記電界レベル計測手段で計測されて得られた計測結果が所定の電界レベルよりも小さい場合は、各変調方式に最適な複数の振幅レベルの中から、大きな振幅レベルを選択し、それ以外の場合は、小さな振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項７】
前記無線通信機は、
直前に受信した信号の変調方式が特定される統計情報を記憶している統計情報記憶手段と、
前記統計情報記憶手段で記憶されている統計情報に基づいて、直前に受信した信号の変調方式を特定し、各変調方式に最適な複数の振幅レベルの中から、特定した変調方式に最適な振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項８】
前記無線通信機は、
受信した頻度が示される統計情報を変調方式ごとに記憶している統計情報記憶手段と、
前記統計情報記憶手段で記憶されている統計情報に基づいて、受信した頻度が最も高い変調方式を特定し、各変調方式に最適な複数の振幅レベルの中から、特定した変調方式に最適な振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項９】
前記無線通信機は、
受信に成功した頻度が示される統計情報を変調方式ごとに記憶している統計情報記憶手段と、
前記統計情報記憶手段で記憶されている統計情報に基づいて、受信に成功した頻度が最も高い変調方式を特定し、各変調方式に最適な複数の振幅レベルの中から、特定した変調方式に最適な振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項１０】
前記無線通信機は、
再送フレームを受信した頻度が示される統計情報を変調方式ごとに記憶している統計情報記憶手段と、
前記統計情報記憶手段で記憶されている統計情報に基づいて、再送フレームの受信頻度が最も低い変調方式を特定し、各変調方式に最適な複数の振幅レベルの中から、特定した変調方式に最適な振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項１１】
前記無線通信機は、
前記無線通信機に設定された帯域保証レートが示される帯域保証レート情報を記憶している帯域保証レート情報記憶手段と、
帯域保証レートに対して最適な変調方式が対応付けられている変調方式対応テーブルを記憶している変調方式対応テーブル記憶手段と、
前記変調方式対応テーブル記憶手段で記憶されている変調方式対応テーブルから、前記帯域保証レート情報記憶手段で記憶されている帯域保証レート情報と対応付けられている変調方式を特定し、各変調方式に最適な複数の振幅レベルの中から、特定した変調方式に最適な振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項１２】
前記無線通信機は、
受信した信号のＳＮ比を測定するＳＮ比測定手段と、
前記ＳＮ比測定手段で測定されて得られた測定結果が所定のＳＮ比より小さい場合は、各変調方式に最適な複数の振幅レベルの中から、大きな振幅レベルを選択し、それ以外の場合は、小さな振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項１３】
前記無線通信機は、
受信した信号を復調するとともにＥＶＭ（Error Vector Magnitude）を算出する復調手段と、
前記復調手段で算出されたＥＶＭが所定のＥＶＭより大きい場合は、所定のレベル増加させた振幅レベルを生成し、それ以外の場合は、所定のレベル減少させた振幅レベルを生成する振幅レベル生成手段と
を備え、
前記自動利得制御手段は、前記振幅レベル生成手段で生成された振幅レベルを、前記複数の変調方式に対して共用される振幅レベルとする
ことを特徴とする請求項１に記載の無線通信機。
【請求項１４】
前記増幅手段は、
受信した信号を増幅する前段アンプ素子部と、
前記前段アンプ素子部で増幅されて得られた信号を増幅する後段アンプ素子部とを有し、
前記無線通信機は、
前記前段アンプ素子部の利得を補正する情報が登録されているゲイン補正テーブルを記憶しているゲイン補正テーブル記憶手段と、
前記ゲイン補正テーブル記憶手段で記憶されているゲイン補正テーブルに基づいて、前記前段アンプ素子部の利得をできるだけ大きくする振幅レベルを生成する振幅レベル生成手段と
を備え、
前記自動利得制御手段は、前記振幅レベル生成手段で生成された振幅レベルを、前記複数の変調方式に対して共用される振幅レベルとする
ことを特徴とする請求項１に記載の無線通信機。
【請求項１５】
前記無線通信機は、
前記無線通信機が属する無線ネットワークを構成する端末で使用されている変調方式が示される端末構成情報を記憶している端末構成情報記憶手段と、
前記端末構成情報記憶手段で記憶されている端末構成情報に基づいて、使用している端末の数が最も多い変調方式を特定し、各変調方式に最適な複数の振幅レベルの中から、特定した変調方式に最適な振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項１６】
前記自動利得制御手段は、最適な振幅レベルが最も大きい変調方式によって感度点の信号を検出することができる振幅レベルの範囲内で、プリアンブル長の最も短い変調方式に最適な振幅レベルに近い振幅レベルを、前記複数の変調方式に対して共用される振幅レベルとする
ことを特徴とする請求項１に記載の無線通信機。
【請求項１７】
前記自動利得制御手段は、プリアンブル長の最も短い変調方式に最適な振幅レベルから、前記増幅手段の利得の再調整が短時間で完了するように調整して得られた振幅レベルを、前記複数の変調方式に対して共用される振幅レベルとする
ことを特徴とする請求項１に記載の無線通信機。
【請求項１８】
前記自動利得制御手段は、各変調方式に最適な複数の振幅レベルを一定の割合で足し合わせて得られた振幅レベルを、前記複数の変調方式に対して共用される振幅レベルとする
ことを特徴とする請求項１に記載の無線通信機。
【請求項１９】
前記無線通信機は、
受信した信号の電界レベルを計測する電界レベル計測手段と、
前記電界レベル計測手段で計測されて得られた計測結果が、所定の変調方式で変調された無線信号でしか受信することができない電界レベルを下回る場合は、各変調方式に最適な複数の振幅レベルの中から、前記所定の変調方式に最適な振幅レベルを選択する振幅レベル選択手段と
を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項２０】
前記無線通信機は、所定の時間間隔で選択する対象を切り替えながら、各変調方式に最適な複数の振幅レベルの中から振幅レベルを選択する振幅レベル選択手段を備え、
前記自動利得制御手段は、前記振幅レベル選択手段で選択された振幅レベルを、前記複数の変調方式に対して共用される振幅レベルとする
ことを特徴とする請求項１に記載の無線通信機。
【請求項２１】
前記無線通信機は、所定の変調方式に最適な振幅レベルから２の冪乗に近似して得られた振幅レベルを生成する振幅レベル生成手段を備え、
前記自動利得制御手段は、前記振幅レベル生成手段で生成された振幅レベルを、前記複数の変調方式に対して共用される振幅レベルとする
ことを特徴とする請求項１に記載の無線通信機。
【請求項２２】
ベースバンド信号の基準振幅レベルが異なる複数の変調方式に対応したベースバンド信号処理回路であって、
受信アンテナを介して受信した信号を増幅する増幅回路の利得を調整するときに参照される振幅レベルを記憶している振幅レベル記憶手段と、
前記振幅レベル記憶手段で記憶されている振幅レベルを、前記複数の変調方式に対して共用して、前記増幅手段の利得を調整する自動利得制御手段と
を備えることを特徴とするベースバンド信号処理回路。
【発明の詳細な説明】
【技術分野】
【０００１】
本発明は、ＩＥＥＥ８０２．１１ｂ／ｇコンボのように、複数の変調方式に対応した無線通信機に関し、特に、ベースバンド信号の基準振幅レベルが異なる複数の変調方式に対応した無線通信機に関する。
【背景技術】
【０００２】
近年、ベースバンド信号の基準振幅レベルが異なる複数の変調方式に対応した無線通信機がある。例えば、ＩＥＥＥ８０２．１１ｂ／ｇのコンボ・チップように、ＯＦＤＭ（Orthogonal Frequency Division Multiplex）方式とＤＳＳＳ（Direct Sequence Spread Spectrum）方式とに対応した無線通信機がある。
【０００３】
ＩＥＥＥ（The Institute of Electrical and Electronics Engineers, Inc）８０２．１１ｇで使用されているＯＦＤＭ方式のプリアンブルは８μ秒の長さである。また、ＯＦＤＭ方式では、ピーク問題のため、比較的小さな振幅レベルに収束するように、ベースバンド信号の基準振幅レベルを制御する必要がある（例えば、非特許文献１参照。）。一方、ＩＥＥＥ８０２．１１ｂで使用されるＤＳＳＳ方式のプリアンブルは１４４μ秒や７２μ秒の長さである。また、ＤＳＳＳ方式では、ＯＦＤＭ方式のものと比べて非常に大きな振幅レベルに収束するように、ベースバンド信号の基準振幅レベルを制御する（例えば、非特許文献２参照。）。
【０００４】
図１は、従来の技術における無線通信機の動作を示す図である。図１に示されるように、ＯＦＤＭ方式とＤＳＳＳ方式とが混在する通信に対応した従来の無線通信機では、アイドル状態（Ｓ１１）から無線信号の受信を開始するにあたり、先ず、瞬間電力を検出するための待ち受けゲインを設定する（Ｓ１２）。所定の閾値以上の瞬間電力を検出すると（Ｓ１３：Ｙｅｓ）、ＯＦＤＭ方式で変調された信号に最適な振幅レベルでゲインを調整する（Ｓ１４）。
【０００５】
次に、無線通信機は、パターンマッチングなどの手法を使用して、受信した信号からＯＦＤＭ方式で変調された信号を検出する（Ｓ１５）。このとき、受信した信号からＯＦＤＭ方式で変調された信号が検出された場合は（Ｓ１５：Ｙｅｓ）、以後、受信した信号をＯＦＤＭ方式に基づいて復調する（Ｓ１６）。所定の時間が経過しても（Ｓ１７：Ｙｅｓ）、受信した信号からＯＦＤＭ方式で変調された信号が検出されなかった場合は（Ｓ１５：Ｎｏ）、ＤＳＳＳ方式で変調された信号に最適な振幅レベルでゲインを調整する（Ｓ１８）。
【０００６】
次に、無線通信機は、パターンマッチングなどの手法を使用して、受信した信号からＤＳＳＳ方式で変調された信号を検出する（Ｓ１９）。このとき、受信した信号からＤＳＳＳ方式で変調された信号が検出された場合は（Ｓ１９：Ｙｅｓ）、以後、受信した信号をＤＳＳＳ方式に基づいて復調する（Ｓ２０）。所定の時間が経過しても（Ｓ２１）、受信した信号からＤＳＳＳ方式で変調された信号が検出されなかった場合は（Ｓ１９：Ｎｏ）、待ち受け利得を設定する状態（Ｓ１２）に戻る。
【非特許文献１】“ＩＥＥＥ  Ｓｔｄ  ８０２．１１ｇ−２００３（Ａｍｅｎｄｍｅｎｔ  ｔｏ  ＩＥＥＥ  Ｓｔｄ  ８０２．１１，１９９９  Ｅｄｉｔｉｏｎ，  ａｓ  ａｍｅｎｄｅｄ  ｂｙ  ＩＥＥＥ  Ｓｔｄｓ  ８０２．１１ａ−１９９９，  ８０２．１１ｂ−１９９９，  ８０２．１１ｂ−１９９９／Ｃｏｒ  １−２００１，  ａｎｄ  ８０２．１１ｄ−２００１），  ＩＥＥＥ  Ｓｔａｎｄａｒｄ  ｆｏｒ  Ｉｎｆｏｒｍａｔｉｏｎ  ｔｅｃｈｎｏｌｏｇｙ  −  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  −  Ｌｏｃａｌ  ａｎｄ  ｍｅｔｒｏｐｏｌｉｔａｎ  ａｒｅａ  ｎｅｔｗｏｒｋｓ  −  Ｓｐｅｃｉｆｉｃ  ｒｅｑｕｉｒｅｍｅｎｔｓ  −  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  ｓｐｅｃｉｆｉｃａｔｉｏｎｓ  −  Ａｍｅｎｄｍｅｎｔ  ４：Ｆｕｒｔｈｅｒ  Ｈｉｇｈｅｒ  Ｄａｔａ  Ｒａｔｅ  Ｅｘｔｅｎｓｉｏｎ  ｉｎ  ｔｈｅ  ２．４ＧＨｚ  Ｂａｎｄ”、［ｏｎｌｉｎｅ］、２００３年６月２７日、ＩＥＥＥ  Ｃｏｍｐｕｔｅｒ  Ｓｏｃｉｅｔｙ、［平成１８年１２月２６日検索］、インターネット＜URL:http://standards.ieee.org/getieee802/download/802.11g-2003.pdf＞
【非特許文献２】“ＩＥＥＥ  Ｓｔｄ  ８０２．１１ｂ−１９９９，  Ｓｕｐｐｌｅｍｅｎｔ  ｔｏ  ＩＥＥＥ  Ｓｔａｎｄａｒｄ  ｆｏｒ  Ｉｎｆｏｒｍａｔｉｏｎ  ｔｅｃｈｎｏｌｏｇｙ  −  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  −  Ｌｏｃａｌ  ａｎｄ  ｍｅｔｒｏｐｏｌｉｔａｎ  ａｒｅａ  ｎｅｔｗｏｒｋｓ  −  Ｓｐｅｃｉｆｉｃ  ｒｅｑｕｉｒｅｍｅｎｔｓ  −  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  ｓｐｅｃｉｆｉｃａｔｉｏｎｓ：Ｈｉｇｈｅｒ−Ｓｐｅｅｄ  Ｐｈｙｓｉｃａｌ  Ｌａｙｅｒ  Ｅｘｔｅｎｓｉｏｎ  ｉｎ  ｔｈｅ  ２．４ＧＨｚ  Ｂａｎｄ”、［ｏｎｌｉｎｅ］、２０００年６月２０日、ＩＥＥＥ  Ｃｏｍｐｕｔｅｒ  Ｓｏｃｉｅｔｙ、［平成１８年１２月２６日検索］、インターネット＜URL:http://standards.ieee.org/getieee802/download/802.11b-1999.pdf＞
【発明の開示】
【発明が解決しようとする課題】
【０００７】
しかしながら、バーストノイズ後しばらくしてからＯＦＤＭ方式で変調された信号が来る場合は、受信し損なう可能性がある。これは、バーストノイズにより信号を検出するときに瞬間電力を検出し、無線通信機の受信シーケンスが、ＯＦＤＭ方式で変調された信号に最適な振幅レベルでゲインを調整する状態に遷移し、ＯＦＤＭ方式で変調された信号を検出する状態に遷移する。しかし、実際には、ＯＦＤＭ方式で変調された信号を受信していないので、タイムアウトになり、ＤＳＳＳ方式で変調された信号に最適な振幅レベルでゲインを調整する状態に遷移し、ＤＳＳＳ方式で変調された信号を検出する状態に遷移する。
【０００８】
もしも、このシーケンス中に、ＯＦＤＭ方式で変調された無線信号を受信した場合は、この無線信号の受信が失敗となる。このように、従来の受信シーケンスでは、常時、自動利得制御の実施や両変調方式のパターンマッチングを実施していないのでノイズ耐性や感度が悪いという問題がある。
【０００９】
そこで、本発明は、上記問題に鑑みてなされたものであり、バーストノイズによる信号誤検出を防ぎ、ノイズ耐性の性能を向上させることができる無線通信機を提供することを目的とする。
【課題を解決するための手段】
【００１０】
上記目的を達成するために、本発明に係わる無線通信機は、（ａ）ベースバンド信号の基準振幅レベルが異なる複数の変調方式に対応した無線通信機であって、（ａ１）受信アンテナを介して受信した信号を増幅する増幅手段と、（ａ２）前記増幅手段の利得を調整するときに参照される振幅レベルを記憶している振幅レベル記憶手段と、（ａ３）前記振幅レベル記憶手段で記憶されている振幅レベルを、前記複数の変調方式に対して共用して、前記増幅手段の利得を調整する自動利得制御手段とを備える。
【００１１】
これによって、複数の変調方式に対して振幅レベルを共用して増幅手段のゲインを調整するので、増幅手段のゲインを常時調整することができ、感度点を向上させることができる。また、全ての変調方式のパターンマッチングを常時実施することができるので、ノイズによる検出の失敗がなく、ノイズ耐性を向上させることができる。
【００１２】
なお、本発明は、無線通信機として実現されるだけではなく、無線通信機に実装されるベースバンド信号処理回路などとしても実現されるとしてもよい。
【発明の効果】
【００１３】
本発明によれば、バーストノイズによる信号誤検出を防ぐことができ、ノイズ耐性の性能を向上させることができる。常時、自動利得制御を実施するので、同期感度を向上させることができる。アルゴリズムが単純な構成で回路規模を削減し、消費電力の低電力化が可能になる。
【発明を実施するための最良の形態】
【００１４】
（実施の形態１）
以下、本発明に係わる実施の形態１について、図面を参照しながら説明する。
【００１５】
本実施の形態における無線通信機は、（ａ）ベースバンド信号の基準振幅レベルが異なる複数の変調方式に対応した無線通信機であって、（ａ１）受信アンテナを介して受信した信号を増幅する増幅機能と、（ａ２）増幅機能の利得を調整するときに参照される振幅レベルを記憶している振幅レベル記憶機能と、（ａ３）振幅レベル記憶機能で記憶されている振幅レベルを、複数の変調方式に対して共用して、増幅機能の利得を調整する自動利得制御機能とを備えることを特徴とする。
【００１６】
以上の点を踏まえて、本実施の形態における無線通信機について説明する。以下、話を簡潔にするために、本実施の形態における無線通信機は、ＩＥＥＥ８０２．１１ｂ／ｇに対応しているとする。
【００１７】
まず、本実施の形態における無線通信機の構成について説明する。
図２は、本実施の形態における無線通信機の構成を示す図である。図２に示されるように、無線通信機１５０は、ここでは、一例として、受信アンテナ１２０、ＲＦ（Radio Frequency）部１３０、ベースバンド信号処理部１００を備える。
【００１８】
ＲＦ部１３０は、受信アンテナ１２０を介して受信した信号を、アナログ信号からデジタル信号に変換可能な振幅レベルになるように増幅する。増幅して得られた信号をベースバンド信号処理部１００へ出力する。また、ベースバンド信号処理部１００から出力されたゲイン調整信号が入力すると、入力したゲイン調整信号に応じて、ゲインを調整しながら、受信した信号を増幅する。
【００１９】
ベースバンド信号処理部１００は、ＡＧＣ（Automatic Gain Control）部１０１、ＯＦＤＭ（Orthogonal Frequency Division Multiplex）用パターンマッチング部１０２、ＤＳＳＳ（Direct Sequence Spread Spectrum）用パターンマッチング部１０３、制御部１０４、調整用振幅レベル記憶部１０５、セレクタ１０６、共用振幅レベル生成部１０７、共用振幅レベル記憶部１０８、ＯＦＤＭ用振幅レベル記憶部１０９、ＤＳＳＳ用振幅レベル記憶部１１０、ＯＦＤＭ用復調部１１１、ＤＳＳＳ用復調部１１２を備える。
【００２０】
ＡＧＣ部１０１は、ＲＦ部１３０から出力された信号が入力すると、入力した信号の平均電力を計算し、計算結果と、調整用振幅レベル記憶部１０５で記憶されている調整用振幅レベルとを比較しながら、ＲＦ部１３０で増幅されて得られた信号の振幅レベルが調整用振幅レベルになるように、ゲイン調整信号をＲＦ部へ出力する。
【００２１】
ＯＦＤＭ用パターンマッチング部１０２は、ＲＦ部１３０から出力された信号が入力すると、入力した信号に対して、ＯＦＤＭ方式に基づいたパターンマッチング処理を行い、その信号がＯＦＤＭ方式で変調された信号であるか否かを判定し、判定結果を制御部１０４へ出力する。
【００２２】
ＤＳＳＳ用パターンマッチング部１０３は、ＲＦ部１３０から出力された信号が入力すると、入力した信号に対して、ＤＳＳＳ方式に基づいたパターンマッチング処理を行い、その信号がＤＳＳＳ方式で変調された信号であるか否かを判定し、判定結果を制御部１０４へ出力する。
【００２３】
制御部１０４は、ＯＦＤＭ用パターンマッチング部１０２やＤＳＳＳ用パターンマッチング部１０３から出力された判定結果が入力すると、入力した判定結果に応じて、共用振幅レベル生成部１０７やセレクタ１０６へ制御信号を出力する。
【００２４】
例えば、制御部１０４は、入力した判定結果に応じて、新規に共用振幅レベルを生成させるときは、共用振幅レベルを生成させる制御信号を共用振幅レベル生成部１０７へ出力する。
【００２５】
また、制御部１０４は、共用振幅レベル記憶部１０８を入力源として選択させるときは、共用振幅レベル記憶部１０８を入力源として選択させる制御信号をセレクタ１０６へ出力する。ＯＦＤＭ用振幅レベル記憶部１０９を入力源として選択させるときは、ＯＦＤＭ用振幅レベル記憶部１０９を入力源として選択させる制御信号をセレクタ１０６へ出力する。ＤＳＳＳ用振幅レベル記憶部１１０を入力源として選択させるときは、ＤＳＳＳ用振幅レベル記憶部１１０を入力源として選択させる制御信号をセレクタ１０６へ出力する。
【００２６】
調整用振幅レベル記憶部１０５は、セレクタ１０６から出力された振幅レベルを調整用振幅レベルとして記憶する。ここで、調整用振幅レベルとは、ＲＦ部１３０の利得を調整するときにＡＧＣ部１０１によって参照される振幅レベルである。
【００２７】
セレクタ１０６は、制御部１０４から出力された制御信号が入力すると、入力した制御信号に応じて、共用振幅レベル記憶部１０８、ＯＦＤＭ用振幅レベル記憶部１０９、ＤＳＳＳ用振幅レベル記憶部１１０の中から入力源を選択する。選択した入力源で記憶されている振幅レベルを調整用振幅レベル記憶部１０５へ出力する。
【００２８】
例えば、セレクタ１０６は、入力した制御信号が、共用振幅レベル記憶部１０８を入力源として選択させる制御信号である場合は、共用振幅レベル記憶部１０８を入力源として選択する。ＯＦＤＭ用振幅レベル記憶部１０９を入力源として選択させる制御信号である場合は、ＯＦＤＭ用振幅レベル記憶部１０９を入力源として選択する。ＤＳＳＳ用振幅レベル記憶部１１０を入力源として選択させる制御信号である場合は、ＤＳＳＳ用振幅レベル記憶部１１０を入力源として選択する。
【００２９】
共用振幅レベル生成部１０７は、制御部１０４から出力された制御信号が入力すると、新規に共用振幅レベルを生成する。生成した共用振幅レベルを共用振幅レベル記憶部１０８に書き込む。ここで、共用振幅レベルとは、ＲＦ部１３０のゲインを調整するにあたり、複数の変調方式に対して共用される振幅レベルである。
【００３０】
共用振幅レベル記憶部１０８は、共用振幅レベル生成部１０７で生成された共用振幅レベルを記憶する。
【００３１】
ＯＦＤＭ用振幅レベル記憶部１０９は、ＯＦＤＭ用振幅レベルを記憶している。ここで、ＯＦＤＭ用振幅レベルとは、ＲＦ部１３０のゲインを調整するにあたり、ＯＦＤＭ方式で変調された信号に対して最適な振幅レベルである。
【００３２】
ＤＳＳＳ用振幅レベル記憶部１１０は、ＤＳＳＳ用振幅レベルを記憶している。ここで、ＤＳＳＳ用振幅レベルとは、ＲＦ部１３０のゲインを調整するにあたり、ＤＳＳＳ方式で変調された信号に対して最適な振幅レベルである。
【００３３】
ＯＦＤＭ用復調部１１１は、ＲＦ部１３０から出力された信号をＯＦＤＭ方式に基づいて復調する。
【００３４】
ＤＳＳＳ用復調部１１２は、ＲＦ部１３０から出力された信号をＤＳＳＳ方式に基づいて復調する。
【００３５】
なお、本実施の形態では、話を簡潔にするために、制御部１０４は、入力した判定結果に係わらず、共用振幅レベル記憶部１０８を入力源として選択させる制御信号をセレクタ１０６へ出力する。これに伴い、セレクタ１０６は、共用振幅レベル記憶部１０８を入力源として選択する。選択した共用振幅レベル記憶部１０８で記憶されている振幅レベルを調整用振幅レベル記憶部１０５へ出力する。調整用振幅レベル記憶部１０５は、セレクタ１０６から出力された振幅レベル、すなわち、共用振幅レベル記憶部１０８で記憶されている振幅レベルを記憶する。
【００３６】
次に、本実施の形態における無線通信機１５０の受信シーケンスについて説明する。
図３は、本実施の形態における無線通信機１５０の受信シーケンスを示す図である。図３に示されるように、無線通信機１５０は、アイドル状態（Ｓ１０１）から受信を開始するにあたり、まず、ＡＧＣ部１０１からＲＦ部１３０へゲイン調整信号が出力される。このとき、ＡＧＣ部１０１は、調整用振幅レベル記憶部１０５で記憶されている振幅レベル、すなわち、共用振幅レベルでゲインを調整する。これに伴い、ＲＦ部１３０は、受信アンテナ１２０を介して受信した信号の振幅レベルが共用振幅レベルになるように、ゲインを調整しながら、受信した信号を増幅する。増幅して得られた信号をベースバンド信号処理部１００へ出力する（Ｓ１０２）。
【００３７】
そして、無線通信機１５０は、ＲＦ部１３０からＯＦＤＭ用パターンマッチング部１０２とＤＳＳＳ用パターンマッチング部１０３とへ信号が出力される。これに伴い、ＯＦＤＭ用パターンマッチング部１０２は、ＲＦ部１３０から出力された信号に対して、ＯＦＤＭ方式に基づいたパターンマッチング処理を行い、その信号がＯＦＤＭ方式で変調された信号であるか否かを判定し、判定結果を制御部１０４へ出力する（Ｓ１０３）。
【００３８】
ここで、無線通信機１５０は、ＲＦ部１３０から出力された信号、すなわち、受信した信号がＯＦＤＭ方式で変調された信号であるとＯＦＤＭ用パターンマッチング部１０２で判定されたとする。この場合において、ＯＦＤＭ用復調部１１１は、以後、ＲＦ部１３０から出力された信号をＯＦＤＭ方式に基づいて復調する（Ｓ１０４）。
【００３９】
同様に、ＤＳＳＳ用パターンマッチング部１０３は、ＲＦ部１３０から出力された信号に対して、ＤＳＳＳ方式に基づいたパターンマッチング処理を行い、その信号がＤＳＳＳ方式で変調された信号であるか否かを判定し、判定結果を制御部１０４へ出力する（Ｓ１０５）。
【００４０】
ここで、無線通信機１５０は、ＲＦ部１３０から出力された信号、すなわち、受信した信号がＤＳＳＳ方式で変調された信号であるとＤＳＳＳ用パターンマッチング部１０３で判定されたとする。この場合において、ＤＳＳＳ用復調部１１２は、以後、ＲＦ部１３０から出力された信号をＤＳＳＳ方式に基づいて復調する（Ｓ１０６）。
【００４１】
なお、無線通信機１５０は、ＯＦＤＭ用パターンマッチング部１０２、ＤＳＳＳ用パターンマッチング部１０３のいずれかにおいて、ＲＦ部１３０から出力された信号の変調方式を特定することができなかった場合は、共用振幅レベル調整状態（Ｓ１０２）に遷移し、継続してゲインを調整する。
【００４２】
以上、本実施の形態における無線通信機１５０によれば、変調方式ごとに最適な振幅レベルを使用してＲＦ部１３０のゲインを調整するのではなく、複数の変調方式に対して振幅レベルを共用してＲＦ部１３０のゲインを調整する。これによって、瞬間電力を検出してからＲＦ部１３０のゲインを調整する代わりに、ＲＦ部１３０のゲインを常時調整することができ、感度点を向上させることができる。また、全ての変調方式のパターンマッチングを常時実施することができるので、ノイズによる検出の失敗がなく、ノイズ耐性を向上させることができる。
【００４３】
（実施の形態２）
以下、本発明に係わる実施の形態２について、図面を参照しながら説明する。
【００４４】
本実施の形態における無線通信機は、（ｂ）（ｂ１）受信した信号が所定の変調方式で変調された信号であるか否かを判定する変調方式判定機能と、（ｂ２）変調方式判定機能で判定された結果、受信した信号が所定の変調方式で変調された信号である場合は、各変調方式に最適な複数の振幅レベルの中から、所定の変調方式に最適な振幅レベルを選択する振幅レベル選択機能とを備え、（ｂ３）自動利得制御機能は、振幅レベル選択機能で選択された振幅レベルを使用して、増幅機能の利得を再調整することを特徴とする。
【００４５】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【００４６】
図４は、本実施の形態における無線通信機の構成を示す図である。図４に示されるように、無線通信機２５０は、実施の形態１における無線通信機１５０と比べて（例えば、図２参照。）、ベースバンド信号処理部１００の代わりに、ベースバンド信号処理部２００を備える点が異なる。
【００４７】
ベースバンド信号処理部２００は、制御部１０４の代わりに、制御部２０４を備える。
制御部２０４は、ＯＦＤＭ用パターンマッチング部１０２から出力された判定結果が入力し、入力した判定結果から、ＲＦ部１３０から出力された信号がＯＦＤＭ方式で変調された信号であるとＯＦＤＭ用パターンマッチング部１０２で判定されたことを識別したとする。この場合において、ＯＦＤＭ用振幅レベル記憶部１０９を入力源として選択させる制御信号をセレクタ１０６へ出力する。
【００４８】
同様に、制御部２０４は、ＤＳＳＳ用パターンマッチング部１０３から出力された判定結果が入力し、入力した判定結果から、ＲＦ部１３０から出力された信号がＤＳＳＳ方式で変調された信号であるとＤＳＳＳ用パターンマッチング部１０３で判定されたことを識別したとする。この場合において、ＤＳＳＳ用振幅レベル記憶部１１０を入力源として選択させる制御信号をセレクタ１０６へ出力する。
【００４９】
次に、本実施の形態における無線通信機２５０の受信シーケンスについて説明する。なお、実施の形態１における処理ステップと同一の処理ステップについては、同一の参照符号を付して説明を省略する。
【００５０】
図５は、本実施の形態における無線通信機２５０の受信シーケンスを示す図である。図５に示されるように、無線通信機２５０は、ＲＦ部１３０からＯＦＤＭ用パターンマッチング部１０２とＤＳＳＳ用パターンマッチング部１０３とへ信号が出力される。これに伴い、ＯＦＤＭ用パターンマッチング部１０２は、ＲＦ部１３０から出力された信号に対して、ＯＦＤＭ方式に基づいたパターンマッチング処理を行い、その信号がＯＦＤＭ方式で変調された信号であるか否かを判定し、判定結果を制御部２０４へ出力する（Ｓ１０３）。
【００５１】
ここで、無線通信機２５０は、ＲＦ部１３０から出力された信号、すなわち、受信した信号がＯＦＤＭ方式で変調された信号であるとＯＦＤＭ用パターンマッチング部１０２で判定されたとする。この場合において、ＯＦＤＭ用振幅レベル記憶部１０９を入力源として選択させる制御信号をセレクタ１０６へ出力する。これに伴い、調整用振幅レベル記憶部１０５にＯＦＤＭ用振幅レベルが書き込まれる。
【００５２】
さらに、無線通信機２５０は、ＡＧＣ部１０１からＲＦ部１３０へゲイン調整信号が再度出力される。これに伴い、ＲＦ部１３０は、受信アンテナ１２０を介して受信した信号の振幅レベルが、調整用振幅レベル記憶部１０５で記憶されている振幅レベル、すなわち、ＯＦＤＭ用振幅レベルになるように、ゲインを調整しながら増幅する。増幅して得られた信号をベースバンド信号処理部２００へ出力する（Ｓ２０１）。
【００５３】
そして、ＯＦＤＭ用復調部１１１は、以後、ＲＦ部１３０から出力された信号をＯＦＤＭ方式に基づいて復調する（Ｓ１０４）。
【００５４】
同様に、ＤＳＳＳ用パターンマッチング部１０３は、ＲＦ部１３０から出力された信号に対して、ＤＳＳＳ方式に基づいたパターンマッチング処理を行い、その信号がＤＳＳＳ方式で変調された信号であるか否かを判定し、判定結果を制御部２０４へ出力する（Ｓ１０５）。
【００５５】
ここで、無線通信機２５０は、ＲＦ部１３０から出力された信号、すなわち、受信した信号がＤＳＳＳ方式で変調された信号であるとＤＳＳＳ用パターンマッチング部１０３で判定されたとする。この場合において、ＤＳＳＳ用振幅レベル記憶部１１０を入力源として選択させる制御信号をセレクタ１０６へ出力する。これに伴い、調整用振幅レベル記憶部１０５にＤＳＳＳ用振幅レベルが書き込まれる。
【００５６】
さらに、無線通信機２５０は、ＡＧＣ部１０１からＲＦ部１３０へゲイン調整信号が再度出力される。これに伴い、ＲＦ部１３０は、受信アンテナ１２０を介して受信した信号の振幅レベルが、調整用振幅レベル記憶部１０５で記憶されている振幅レベル、すなわち、ＤＳＳＳ用振幅レベルになるように、ゲインを調整しながら増幅する。増幅して得られた信号をベースバンド信号処理部２００へ出力する（Ｓ２０２）。
【００５７】
そして、ＤＳＳＳ用復調部１１２は、以後、ＲＦ部１３０から出力された信号をＤＳＳＳ方式に基づいて復調する（Ｓ１０６）。
【００５８】
以上、本実施の形態における無線通信機２５０によれば、共用振幅レベルでゲインを調整する状態（Ｓ１０２）においては、共用振幅レベル記憶部１０８で記憶されている振幅レベルを使用してＲＦ部１３０のゲインを調整する。ＯＦＤＭ方式の信号パターンを検出する状態（Ｓ１０３）において、受信した信号がＯＦＤＭ方式で変調された信号であると判定されると、ＯＦＤＭ用振幅レベルでゲインを再調整する状態（Ｓ２０１）に遷移し、ＯＦＤＭ用振幅レベル記憶部１０９で記憶されている振幅レベルを使用してＲＦ部１３０のゲインを再調整する。
【００５９】
同様に、ＤＳＳＳ方式の信号パターンを検出する状態（Ｓ１０５）において、受信した信号がＤＳＳＳ方式で変調された信号であると判定されると、ＤＳＳＳ用振幅レベルでゲインを再調整する状態（Ｓ２０２）に遷移し、ＤＳＳＳ用振幅レベル記憶部１１０で記憶されている振幅レベルを使用してＲＦ部１３０のゲインを再調整する。
【００６０】
このように、各変調方式に最適な振幅レベルを使用してＲＦ部１３０のゲインを再調整することができるので、実施の形態１における無線通信機１５０より、さらに、通信精度を向上させることができる。
【００６１】
（実施の形態３）
以下、本発明に係わる実施の形態３について、図面を参照しながら説明する。
【００６２】
本実施の形態における無線通信機は、（ｃ）（ｃ１）受信した信号が所定の変調方式で変調された信号であるか否かを判定する変調方式判定機能と、（ｃ２）変調方式判定機能で判定された結果、受信した信号が所定の変調方式で変調された信号である場合は、各変調方式に最適な複数の振幅レベルの中から、所定の変調方式に最適な振幅レベルを選択する振幅レベル選択機能とを備え、（ｃ３）自動利得制御機能は、複数の変調方式に対して共用される振幅レベルと、振幅レベル選択機能で選択された振幅レベルとの差を計算し、計算結果を加味して増幅機能の利得を再調整することを特徴とする。
【００６３】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【００６４】
図６は、本実施の形態における無線通信機の構成を示す図である。図６に示されるように、無線通信機３５０は、実施の形態１における無線通信機１５０と比べて（例えば、図２参照。）、ベースバンド信号処理部１００の代わりに、ベースバンド信号処理部３００を備える点が異なる。
【００６５】
ベースバンド信号処理部３００は、ＡＧＣ部１０１、制御部１０４の代わりに、ＡＧＣ部３０１、制御部３０４を備える。
【００６６】
ＡＧＣ部３０１は、ＯＦＤＭ用振幅レベルでゲインを調整するときに調整用振幅レベル記憶部１０５から振幅レベルを読み出す。そして、調整用振幅レベルでゲインを調整するときに調整用振幅レベル記憶部１０５から読み出した振幅レベル、すなわち、共用振幅レベル記憶部１０８で記憶されている振幅レベルと、ＯＦＤＭ用振幅レベルでゲインを調整するときに調整用振幅レベル記憶部１０５から読み出した振幅レベル、すなわち、ＯＦＤＭ用振幅レベル記憶部１０９で記憶されている振幅レベルとの差を計算する。計算結果をＲＦ部１３０のゲインを調整する値に加算する。加算して得られた値を使用してＲＦ部１３０のゲインを再調整する。
【００６７】
同様に、ＡＧＣ部３０１は、ＤＳＳＳ用振幅レベルでゲインを調整するときに調整用振幅レベル記憶部１０５から振幅レベルを読み出す。そして、調整用振幅レベルでゲインを調整するときに調整用振幅レベル記憶部１０５から読み出した振幅レベル、すなわち、共用振幅レベル記憶部１０８で記憶されている振幅レベルと、ＤＳＳＳ用振幅レベルでゲインを調整するときに調整用振幅レベル記憶部１０５から読み出した振幅レベル、すなわち、ＤＳＳＳ用振幅レベル記憶部１１０で記憶されている振幅レベルとの差を計算する。計算結果をＲＦ部１３０のゲインを調整する値に加算する。加算して得られた値を使用してＲＦ部１３０のゲインを再調整する。
【００６８】
制御部３０４は、ＯＦＤＭ用パターンマッチング部１０２から出力された判定結果が入力し、入力した判定結果から、ＲＦ部１３０から出力された信号がＯＦＤＭ方式で変調された信号であるとＯＦＤＭ用パターンマッチング部１０２で判定されたことを識別したとする。この場合において、ＯＦＤＭ用振幅レベル記憶部１０９を入力源として選択させる制御信号をセレクタ１０６へ出力する。
【００６９】
同様に、制御部３０４は、ＤＳＳＳ用パターンマッチング部１０３から出力された判定結果が入力し、入力した判定結果から、ＲＦ部１３０から出力された信号がＤＳＳＳ方式で変調された信号であるとＤＳＳＳ用パターンマッチング部１０３で判定されたことを識別したとする。この場合において、ＤＳＳＳ用振幅レベル記憶部１１０を入力源として選択させる制御信号をセレクタ１０６へ出力する。
【００７０】
次に、本実施の形態における無線通信機の受信シーケンスについて説明する。なお、実施の形態１における処理ステップと同一の処理ステップについては、同一の参照符号を付して説明を省略する。
【００７１】
図７は、本実施の形態における無線通信機の受信シーケンスを示す図である。図７に示されるように、無線通信機３５０は、ＲＦ部１３０からＯＦＤＭ用パターンマッチング部１０２とＤＳＳＳ用パターンマッチング部１０３とへ信号が出力される。これに伴い、ＯＦＤＭ用パターンマッチング部１０２は、ＲＦ部１３０から出力された信号に対して、ＯＦＤＭ方式に基づいたパターンマッチング処理を行い、その信号がＯＦＤＭ方式で変調された信号であるか否かを判定し、判定結果を制御部３０４へ出力する（Ｓ１０３）。
【００７２】
ここで、無線通信機３５０は、ＲＦ部１３０から出力された信号、すなわち、受信した信号がＯＦＤＭ方式で変調された信号であるとＯＦＤＭ用パターンマッチング部１０２で判定されたとする。この場合において、ＯＦＤＭ用振幅レベル記憶部１０９を入力源として選択させる制御信号をセレクタ１０６へ出力する。これに伴い、調整用振幅レベル記憶部１０５にＯＦＤＭ用振幅レベルが書き込まれる。
【００７３】
さらに、ＡＧＣ部３０１は、共用振幅レベルとＯＦＤＭ用振幅レベルとの差を計算する（Ｓ３０１）。計算結果を、ゲインを調整する値に加算し、加算して得られた値を使用してＲＦ部１３０のゲインを再調整する（Ｓ３０２）。
【００７４】
そして、ＯＦＤＭ用復調部１１１は、以後、ＲＦ部１３０から出力された信号をＯＦＤＭ方式に基づいて復調する（Ｓ１０４）。
【００７５】
同様に、ＤＳＳＳ用パターンマッチング部１０３は、ＲＦ部１３０から出力された信号に対して、ＤＳＳＳ方式に基づいたパターンマッチング処理を行い、その信号がＤＳＳＳ方式で変調された信号であるか否かを判定し、判定結果を制御部３０４へ出力する（Ｓ１０５）。
【００７６】
ここで、無線通信機３５０は、ＲＦ部１３０から出力された信号、すなわち、受信した信号がＤＳＳＳ方式で変調された信号であるとＤＳＳＳ用パターンマッチング部１０３で判定されたとする。この場合において、ＤＳＳＳ用振幅レベル記憶部１１０を入力源として選択させる制御信号をセレクタ１０６へ出力する。これに伴い、調整用振幅レベル記憶部１０５にＤＳＳＳ用振幅レベルが書き込まれる。
【００７７】
さらに、ＡＧＣ部３０１は、共用振幅レベルとＤＳＳＳ用振幅レベルとの差を計算する（Ｓ３０３）。計算結果を、ゲインを調整する値に加算し、加算して得られた値を使用してＲＦ部１３０のゲインを再調整する（Ｓ３０４）。
【００７８】
そして、ＤＳＳＳ用復調部１１２は、以後、ＲＦ部１３０から出力された信号をＤＳＳＳ方式に基づいて復調する（Ｓ１０６）。
【００７９】
以上、本実施の形態における無線通信機３５０によれば、ＲＦ部１３０のゲインを再調整するまでの時間を短くすることができる。プリアンブルを復調する処理に、より多くの時間をかけることができ、通信精度を向上させることができる。
【００８０】
（実施の形態４）
以下、本発明に係わる実施の形態４について、図面を参照しながら説明する。
【００８１】
本実施の形態における無線通信機は、（ｄ）各変調方式に最適な複数の振幅レベルのうち、プリアンブル長の最も短い変調方式に最適な振幅レベルを、複数の変調方式に対して共用される振幅レベルとすることを特徴とする。
【００８２】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【００８３】
図８は、本実施の形態における無線通信機の構成を示す図である。図８に示されるように、無線通信機４５０は、実施の形態１における無線通信機１５０と比べて（例えば、図２参照。）、ベースバンド信号処理部１００の代わりに、ベースバンド信号処理部４００を備える点が異なる。
【００８４】
ベースバンド信号処理部４００は、制御部１０４の代わりに、制御部４０４を備える。
制御部４０４は、共用振幅レベルでゲインを調整するときに、プリアンブル長の最も短い変調方式に対して最適な振幅レベルを記憶しているものを入力源として選択させる制御信号をセレクタ１０６へ出力する。
【００８５】
例えば、変調方式としてＯＦＤＭ方式とＤＳＳＳ方式とが混在して使用されているとする。この場合において、制御部４０４は、受信が開始すると、ＯＦＤＭ用振幅レベル記憶部１０９を入力源として選択させる制御信号をセレクタ１０６へ出力する。これによって、セレクタ１０６は、ＯＦＤＭ用振幅レベル記憶部１０９を入力源として選択する。選択したＯＦＤＭ用振幅レベル記憶部１０９で記憶されている振幅レベルを調整用振幅レベル記憶部１０５へ出力する。
【００８６】
以上、本実施の形態における無線通信機４５０によれば、例えば、変調方式としてＯＦＤＭ方式とＤＳＳＳ方式とが混在して使用されているとする。この場合において、無線通信機４５０は、無線信号の受信を開始するときに、ＯＦＤＭ用振幅レベルに調整用振幅レベルを設定する。これは、ＯＦＤＭ方式の方がＤＳＳＳ方式よりもプリアンブル長が短いためである。これによって、ＯＦＤＭ用振幅レベルを使用してゲインを再調整する工程を省略することができ、プリアンブルを復調する処理に、より多くの時間をかけることができ、通信精度を向上させることができる。
【００８７】
（実施の形態５）
以下、本発明に係わる実施の形態５について、図面を参照しながら説明する。
【００８８】
本実施の形態における無線通信機は、（ｅ）各変調方式に最適な複数の振幅レベルのうち、最も大きい振幅レベルを、複数の変調方式に対して共用される振幅レベルとすることを特徴とする。
【００８９】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【００９０】
図９は、本実施の形態における無線通信機の構成を示す図である。図９に示されるように、無線通信機５５０は、実施の形態１における無線通信機１５０と比べて（例えば、図２参照。）、ベースバンド信号処理部１００の代わりに、ベースバンド信号処理部５００を備える点が異なる。
【００９１】
ベースバンド信号処理部５００は、制御部１０４の代わりに、制御部５０４を備える。
制御部５０４は、信号の受信を開始するときに、各変調方式に最適化された各振幅レベルの中で最も大きい振幅レベルを記憶しているものを入力源として選択させる制御信号をセレクタ１０６へ出力する。
【００９２】
例えば、変調方式としてＯＦＤＭ方式とＤＳＳＳ方式とが混在して使用されているとする。この場合において、制御部５０４は、無線信号の受信が開始すると、ＤＳＳＳ用振幅レベル記憶部１１０を入力源として選択させる制御信号をセレクタ１０６へ出力する。これによって、セレクタ１０６は、ＤＳＳＳ用振幅レベル記憶部１１０を入力源として選択する。選択したＤＳＳＳ用振幅レベル記憶部１１０で記憶されている振幅レベルを調整用振幅レベル記憶部１０５へ出力する。
【００９３】
以上、本実施の形態における無線通信機５５０によれば、例えば、変調方式としてＯＦＤＭ方式とＤＳＳＳ方式とが混在して使用されている場合において、無線信号の受信を開始するときに、ＤＳＳＳ用振幅レベルに調整用振幅レベルを設定する。これは、ＤＳＳＳ用振幅レベルの方がＯＦＤＭ用振幅レベルよりも大きいためである。これによって、振幅レベルを大きくすることで、ＲＦ部１３０から出力される信号のＳＮ比がよくなり、ベースバンド信号処理においても高ビット精度で演算することができ、通信精度をさらに向上させることができる。
【００９４】
（実施の形態６）
以下、本発明に係わる実施の形態６について、図面を参照しながら説明する。
【００９５】
本実施の形態における無線通信機は、（ｆ）（ｆ１）受信した信号の電界レベルを計測する電界レベル計測機能と、（ｆ２）電界レベル計測機能で計測されて得られた計測結果が所定の電界レベルよりも小さい場合は、各変調方式に最適な複数の振幅レベルの中から、大きな振幅レベルを選択し、それ以外の場合は、小さな振幅レベルを選択する振幅レベル選択機能とを備え、（ｆ３）振幅レベル選択機能で選択された振幅レベルを、複数の変調方式に対して共用される振幅レベルとすることを特徴とする。
【００９６】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【００９７】
図１０は、本実施の形態における無線通信機の構成を示す図である。図１０に示されるように、無線通信機６５０は、実施の形態１における無線通信機１５０と比べて（例えば、図２参照。）、ベースバンド信号処理部１００の代わりに、ベースバンド信号処理部６００を備える点が異なる。
【００９８】
ベースバンド信号処理部６００は、制御部１０４の代わりに、制御部６０４を備える。新たに、電界レベル計測部６１３、電界レベル閾値記憶部６１４を備える。
【００９９】
制御部６０４は、共用振幅レベルでゲインを調整するときに、電界レベル計測部６１３から出力された計測結果が入力すると、電界レベル閾値記憶部６１４から閾値を読み出す。読み出した閾値と、入力した計測結果とを比較する。比較した結果、計測結果が閾値よりも小さい場合、すなわち、ＲＦ部１３０から出力された信号の電界レベルが閾値よりも小さい場合は、大きな振幅レベルを記憶しているものを入力源として選択させる制御信号をセレクタ１０６へ出力する。それ以外の場合は、小さな振幅レベルを記憶しているものを入力源として選択させる制御信号をセレクタ１０６へ出力する。
【０１００】
例えば、変調方式としてＯＦＤＭ方式とＤＳＳＳ方式とが混在して使用されているとする。この場合において、制御部６０４は、ＲＦ部１３０から出力された信号の電界レベルが閾値よりも小さい場合は、ＤＳＳＳ用振幅レベル記憶部１１０を入力源として選択させる制御信号をセレクタ１０６へ出力する。それ以外の場合は、ＯＦＤＭ用振幅レベル記憶部１０９を入力源として選択させる制御信号をセレクタ１０６へ出力する。これは、ＯＦＤＭ用振幅レベルよりもＤＳＳＳ用振幅レベルの方が大きいためである。
【０１０１】
電界レベル計測部６１３は、共用振幅レベルでゲインを調整するときに、ＲＦ部１３０から出力された信号が入力し、入力した信号の電界レベルを計測する。計測結果を制御部６０４へ出力する。
【０１０２】
電界レベル閾値記憶部６１４は、所定の電界レベルを閾値として記憶している。
以上、本実施の形態における無線通信機６５０によれば、共用振幅レベルでゲインを調整するときに、受信した信号の電界レベルが閾値よりも小さい場合は、大きな振幅レベルに調整用振幅レベルを設定する。それ以外の場合は、小さな振幅レベルに調整用振幅レベルを設定する。
【０１０３】
例えば、変調方式としてＯＦＤＭ方式とＤＳＳＳ方式とが混在して使用されているとする。この場合において、無線通信機６５０は、ＲＦ部１３０から出力された信号の電界レベルが閾値よりも小さい場合は、ＤＳＳＳ用振幅レベルに調整用振幅レベルを設定する。それ以外の場合は、ＯＦＤＭ用振幅レベルに調整用振幅レベルを設定する。このように、大きな振幅レベルに調整用振幅レベルを設定することで、電界レベルの小さい信号はＳＮ比が悪くても、ベースバンド信号に対する復調処理を高精度で実現することができる。また、弱電界の信号であるため、調整用振幅レベルの設定に費やされる時間が短く、ゲインを再調整するまでの時間が短く特性の劣化の要因となることを回避することができ、通信精度をさらに向上させることができる。
【０１０４】
（実施の形態７）
以下、本発明に係わる実施の形態７について、図面を参照しながら説明する。
【０１０５】
本実施の形態における無線通信機は、（ｇ）（ｇ１）直前に受信した信号の変調方式が特定される統計情報を記憶している統計情報記憶機能と、（ｇ２）統計情報記憶機能で記憶されている統計情報に基づいて、直前に受信した信号の変調方式を特定し、各変調方式に最適な複数の振幅レベルの中から、特定した変調方式に最適な振幅レベルを選択する振幅レベル選択機能とを備え、（ｇ３）振幅レベル選択機能で選択された振幅レベルを、複数の変調方式に対して共用される振幅レベルとすることを特徴とする。
【０１０６】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１０７】
図１１は、本実施の形態における無線通信機の構成を示す図である。図１１に示されるように、無線通信機７５０は、実施の形態１における無線通信機１５０と比べて（例えば、図２参照。）、ベースバンド信号処理部１００の代わりに、ベースバンド信号処理部７００を備える点が異なる。
【０１０８】
ベースバンド信号処理部７００は、制御部１０４、ＯＦＤＭ用復調部１１１、ＤＳＳＳ用復調部１１２の代わりに、制御部７０４、ＯＦＤＭ用復調部７１１、ＤＳＳＳ用復調部７１２を備える。新たに、統計情報管理部７１３、統計情報記憶部７１４を備える。
【０１０９】
制御部７０４は、共用振幅レベルでゲインを調整するときに、直前に受信した信号の変調方式が示される統計情報を統計情報記憶部７１４から読み出す。読み出した統計情報に基づいて、直前に受信した信号の変調方式を特定する。特定した変調方式に最適な振幅レベルを記憶しているものを入力源として選択させる制御信号をセレクタ１０６へ出力する。
【０１１０】
例えば、変調方式としてＯＦＤＭ方式とＤＳＳＳ方式とが混在して使用されているとする。この場合において、制御部７０４は、特定した変調方式がＯＦＤＭ方式である場合は、ＯＦＤＭ用振幅レベル記憶部１０９を入力源として選択させる制御信号をセレクタ１０６へ出力する。また、特定した変調方式がＤＳＳＳ方式である場合は、ＤＳＳＳ用振幅レベル記憶部１１０を入力源として選択させる制御信号をセレクタ１０６へ出力する。
【０１１１】
ＯＦＤＭ用復調部７１１は、ＲＦ部１３０から出力された信号が入力し、入力した信号がＯＦＤＭ方式で変調された信号である場合は、入力した信号をＯＦＤＭ方式に基づいて復調し、受信完了通知を統計情報管理部７１３へ出す。
【０１１２】
ＤＳＳＳ用復調部７１２は、ＲＦ部１３０から出力された信号が入力し、入力した信号がＤＳＳＳ方式で変調された信号である場合は、入力した信号をＤＳＳＳ方式に基づいて復調し、受信完了通知を統計情報管理部７１３へ出す。
【０１１３】
統計情報管理部７１３は、ＯＦＤＭ用復調部７１１から受信完了通知を受けると、受信した信号がＯＦＤＭ方式で変調された信号であることが示される統計情報を生成する。生成した統計情報を統計情報記憶部７１４に書き込む。また、ＤＳＳＳ用復調部７１２から受信完了通知を受けると、受信した信号がＤＳＳＳ方式で変調された信号であることが示される統計情報を生成する。生成した統計情報を統計情報記憶部７１４に書き込む。
【０１１４】
統計情報記憶部７１４は、受信した信号の変調方式が特定される統計情報を記憶している。
【０１１５】
以上、本実施の形態における無線通信機７５０によれば、直前に受信した信号の変調方式に最適な振幅レベルに調整用振幅レベルを設定する。これは、ＡＰ（Access Point）とＳＴＡ（Station Terminal Adaptor）との１対１の通信において、ＳＴＡは同じ変調方式を使用して通信を続ける可能性が高い。そのため、直前に受信した信号の変調方式に最適な振幅レベルを選択する可能性が高いためである。これによって、変調方式ごとに最適化された複数の振幅レベルの中から、より可能性の高い振幅レベルを簡単な構成で選択することができ、通信制度を向上させることができる。
【０１１６】
（実施の形態８）
以下、本発明に係わる実施の形態８について、図面を参照しながら説明する。
【０１１７】
本実施の形態における無線通信機は、（ｈ）（ｈ１）受信した頻度が示される統計情報を変調方式ごとに記憶している統計情報記憶機能と、（ｈ２）統計情報記憶機能で記憶されている統計情報に基づいて、受信した頻度が最も高い変調方式を特定し、各変調方式に最適な複数の振幅レベルの中から、特定した変調方式に最適な振幅レベルを選択する振幅レベル選択機能とを備え、（ｈ３）振幅レベル選択機能で選択された振幅レベルを、複数の変調方式に対して共用される振幅レベルとすることを特徴とする。
【０１１８】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１１９】
図１２は、本実施の形態における無線通信機の構成を示す図である。図１２に示されるように、無線通信機８５０は、実施の形態１における無線通信機１５０と比べて（例えば、図２参照。）、ベースバンド信号処理部１００の代わりに、ベースバンド信号処理部８００を備える点が異なる。
【０１２０】
ベースバンド信号処理部８００は、制御部１０４、ＯＦＤＭ用復調部１１１、ＤＳＳＳ用復調部１１２の代わりに、制御部８０４、ＯＦＤＭ用復調部８１１、ＤＳＳＳ用復調部８１２を備える。新たに、統計情報管理部８１３、統計情報記憶部８１４を備える。
【０１２１】
制御部８０４は、共用振幅レベルでゲインを調整するときに、各変調方式と対応付けられている複数の統計情報を統計情報記憶部８１４から読み出す。読み出した複数の統計情報に基づいて、受信した頻度が最も高い変調方式を特定する。特定した変調方式に最適な振幅レベルを記憶しているものを入力源として選択させる制御信号をセレクタ１０６へ出力する。
【０１２２】
例えば、変調方式としてＯＦＤＭ方式とＤＳＳＳ方式とが混在して使用されているとする。この場合において、制御部８０４は、特定した変調方式がＯＦＤＭ方式である場合は、ＯＦＤＭ用振幅レベル記憶部１０９を入力源として選択させる制御信号をセレクタ１０６へ出力する。また、特定した変調方式がＤＳＳＳ方式である場合は、ＤＳＳＳ用振幅レベル記憶部１１０を入力源として選択させる制御信号をセレクタ１０６へ出力する。
【０１２３】
ＯＦＤＭ用復調部８１１は、ＲＦ部１３０から出力された信号が入力し、入力した信号がＯＦＤＭ方式で変調された信号である場合は、入力した信号をＯＦＤＭ方式に基づいて復調する。パケット単位で信号を受信すると、受信完了通知を統計情報管理部８１３へ出す。
【０１２４】
ＤＳＳＳ用復調部８１２は、ＲＦ部１３０から出力された信号が入力し、入力した信号がＤＳＳＳ方式で変調された信号である場合は、入力した信号をＤＳＳＳ方式に基づいて復調する。パケット単位で信号を受信すると、受信完了通知を統計情報管理部８１３へ出す。
【０１２５】
統計情報管理部８１３は、ＯＦＤＭ用復調部８１１から受信完了通知を受けると、統計情報記憶部８１４で記憶されている統計情報の中から、ＯＦＤＭ方式と対応付けられている統計情報を更新する。また、ＤＳＳＳ用復調部８１２から受信完了通知を受けると、統計情報記憶部８１４で記憶されている統計情報の中から、ＤＳＳＳ方式と対応付けられている統計情報を更新する。
【０１２６】
統計情報記憶部８１４は、受信が完了した頻度が示される統計情報を変調方式ごとに記憶している。
【０１２７】
以上、本実施の形態における無線通信機８５０によれば、変調方式ごとに受信頻度を記憶し、受信頻度の高い変調方式に最適な振幅レベルに調整用振幅レベルを設定する。これは、ＡＰのように多数の端末と通信を行う無線通信機８５０では、受信頻度の高い変調方式に最適な振幅レベルを選択する可能性が高いためである。これによって、変調方式ごとに最適化された複数の振幅レベルの中から、より可能性の高い振幅レベルを簡単な構成で選択することができ、通信制度を向上させることができる。
【０１２８】
（実施の形態９）
以下、本発明に係わる実施の形態９について、図面を参照しながら説明する。
【０１２９】
本実施の形態における無線通信機は、（ｉ）（ｉ１）受信に成功した頻度が示される統計情報を変調方式ごとに記憶している統計情報記憶機能と、（ｉ２）統計情報記憶機能で記憶されている統計情報に基づいて、受信に成功した頻度が最も高い変調方式を特定し、各変調方式に最適な複数の振幅レベルの中から、特定した変調方式に最適な振幅レベルを選択する振幅レベル選択機能とを備え、（ｉ３）振幅レベル選択機能で選択された振幅レベルを、複数の変調方式に対して共用される振幅レベルとすることを特徴とする。
【０１３０】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１３１】
図１３は、本実施の形態における無線通信機の構成を示す図である。図１３に示されるように、無線通信機９５０は、実施の形態１における無線通信機１５０と比べて（例えば、図２参照。）、ベースバンド信号処理部１００の代わりに、ベースバンド信号処理部９００を備える点が異なる。
【０１３２】
ベースバンド信号処理部９００は、制御部１０４、ＯＦＤＭ用復調部１１１、ＤＳＳＳ用復調部１１２の代わりに、制御部９０４、ＯＦＤＭ用復調部９１１、ＤＳＳＳ用復調部９１２を備える。新たに、統計情報管理部９１３、統計情報記憶部９１４を備える。
【０１３３】
制御部９０４は、共用振幅レベルでゲインを調整するときに、受信に成功した頻度が示される統計情報を統計情報記憶部９１４から読み出す。読み出した統計情報に基づいて、受信に成功した頻度が最も高い変調方式を特定する。特定した変調方式に最適な振幅レベルを記憶しているものを入力源として選択させる制御信号をセレクタ１０６へ出力する。
【０１３４】
例えば、変調方式としてＯＦＤＭ方式とＤＳＳＳ方式とが混在して使用されているとする。この場合において、制御部９０４は、特定した変調方式がＯＦＤＭ方式である場合は、ＯＦＤＭ用振幅レベル記憶部１０９を入力源として選択させる制御信号をセレクタ１０６へ出力する。また、特定した変調方式がＤＳＳＳ方式である場合は、ＤＳＳＳ用振幅レベル記憶部１１０を入力源として選択させる制御信号をセレクタ１０６へ出力する。
【０１３５】
ＯＦＤＭ用復調部９１１は、ＲＦ部１３０から出力された信号が入力し、入力した信号がＯＦＤＭ方式で変調された信号である場合は、入力した信号をＯＦＤＭ方式に基づいて復調する。パケット単位で信号を受信すると、受信したパケットをチェックする。チェックした結果、チェックしたパケットに異常がなければ、受信成功通知を統計情報管理部９１３へ出す。
【０１３６】
ＤＳＳＳ用復調部９１２は、ＲＦ部１３０から出力された信号が入力し、入力した信号がＤＳＳＳ方式で変調された信号である場合は、入力した信号をＤＳＳＳ方式に基づいて復調する。パケット単位で信号を受信すると、受信したパケットをチェックする。チェックした結果、チェックしたパケットに異常がなければ、受信成功通知を統計情報管理部９１３へ出す。
【０１３７】
統計情報管理部９１３は、ＯＦＤＭ用復調部９１１から受信成功通知を受けると、統計情報記憶部９１４で記憶されている統計情報の中から、ＯＦＤＭ方式と対応付けられている統計情報を更新する。また、ＤＳＳＳ用復調部９１２から受信成功通知を受けると、統計情報記憶部９１４で記憶されている統計情報の中から、ＤＳＳＳ方式と対応付けられている統計情報を更新する。
【０１３８】
統計情報記憶部９１４は、受信が成功した頻度が示される統計情報を変調方式ごとに記憶している。
【０１３９】
以上、本実施の形態における無線通信機９５０によれば、通信の合否判定を加え、受信が成功した頻度が最も高い変調方式に最適な振幅レベルに調整用振幅レベルを設定する。これによって、変調方式ごとに最適化された複数の振幅レベルの中から、より可能性の高い振幅レベルを選択することができる。
【０１４０】
（実施の形態１０）
以下、本発明に係わる実施の形態１０について、図面を参照しながら説明する。
【０１４１】
本実施の形態における無線通信機は、（ｊ）（ｊ１）再送フレームを受信した頻度が示される統計情報を変調方式ごとに記憶している統計情報記憶機能と、（ｊ２）統計情報記憶機能で記憶されている統計情報に基づいて、再送フレームの受信頻度が最も低い変調方式を特定し、各変調方式に最適な複数の振幅レベルの中から、特定した変調方式に最適な振幅レベルを選択する振幅レベル選択機能とを備え、（ｊ３）振幅レベル選択機能で選択された振幅レベルを、複数の変調方式に対して共用される振幅レベルとすることを特徴とする。
【０１４２】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１４３】
図１４は、本実施の形態における無線通信機の構成を示す図である。図１４に示されるように、無線通信機１０５０は、実施の形態１における無線通信機１５０と比べて（例えば、図２参照。）、ベースバンド信号処理部１００の代わりに、ベースバンド信号処理部１０００を備える点が異なる。
【０１４４】
ベースバンド信号処理部１０００は、制御部１０４、ＯＦＤＭ用復調部１１１、ＤＳＳＳ用復調部１１２の代わりに、制御部１００４、ＯＦＤＭ用復調部１０１１、ＤＳＳＳ用復調部１０１２を備える。新たに、統計情報管理部１０１３、統計情報記憶部１０１４を備える。
【０１４５】
制御部１００４は、共用振幅レベルでゲインを調整するときに、再送フレームの受信頻度が示される統計情報を統計情報記憶部１０１４から読み出す。読み出した統計情報に基づいて、再送フレームの受信頻度が最も低い変調方式を特定する。特定した変調方式に最適な振幅レベルを記憶しているものを入力源として選択させる制御信号をセレクタ１０６へ出力する。
【０１４６】
例えば、変調方式としてＯＦＤＭ方式とＤＳＳＳ方式とが混在して使用されているとする。この場合において、制御部１００４は、特定した変調方式がＯＦＤＭ方式である場合は、ＯＦＤＭ用振幅レベル記憶部１０９を入力源として選択させる制御信号をセレクタ１０６へ出力する。また、特定した変調方式がＤＳＳＳ方式である場合は、ＤＳＳＳ用振幅レベル記憶部１１０を入力源として選択させる制御信号をセレクタ１０６へ出力する。
【０１４７】
ＯＦＤＭ用復調部１０１１は、ＲＦ部１３０から出力された信号が入力し、入力した信号がＯＦＤＭ方式で変調された信号である場合は、入力した信号をＯＦＤＭ方式に基づいて復調する。復調して得られた信号からフレームを構成する。構成したフレームが再送フレームであるか否かを判定する。判定した結果、再送フレームである場合は、再送フレーム受信通知を統計情報管理部１０１３へ出す。
【０１４８】
ＤＳＳＳ用復調部１０１２は、ＲＦ部１３０から出力された信号が入力し、入力した信号がＤＳＳＳ方式で変調された信号である場合は、入力した信号をＤＳＳＳ方式に基づいて復調する。復調して得られた信号からフレームを構成する。構成したフレームが再送フレームであるか否かを判定する。判定した結果、再送フレームである場合は、再送フレーム受信通知を統計情報管理部１０１３へ出す。
【０１４９】
統計情報管理部１０１３は、ＯＦＤＭ用復調部１０１１から再送フレーム受信通知を受けると、統計情報記憶部１０１４で記憶されている統計情報の中から、ＯＦＤＭ方式と対応付けられている統計情報を更新する。また、ＤＳＳＳ用復調部１０１２から再送フレーム受信通知を受けると、統計情報記憶部１０１４で記憶されている統計情報の中から、ＤＳＳＳ方式に対応付けられている統計情報を更新する。
【０１５０】
統計情報記憶部１０１４は、再送フレームを受信した頻度が示される統計情報を変調方式ごとに記憶している。
【０１５１】
以上、本実施の形態における無線通信機１０５０によれば、フレーム受信の失敗、フレーム受信の見落としに起因する再送フレームの受信頻度が最も少ない変調方式に最適な振幅レベルに調整用振幅レベルを設定する。これによって、変調方式ごとに最適化された複数の振幅レベルの中から、さらに可能性の高い振幅レベルを選択することができ、通信精度を向上させることができる。
【０１５２】
（実施の形態１１）
以下、本発明に係わる実施の形態１１について、図面を参照しながら説明する。
【０１５３】
本実施の形態における無線通信機は、（ｋ）（ｋ１）無線通信機に設定された帯域保証レートが示される帯域保証レート情報を記憶している帯域保証レート情報記憶機能と、（ｋ２）帯域保証レートに対して最適な変調方式が対応付けられている変調方式対応テーブルを記憶している変調方式対応テーブル記憶機能と、（ｋ３）変調方式対応テーブル記憶機能で記憶されている変調方式対応テーブルから、帯域保証レート情報記憶機能で記憶されている帯域保証レート情報と対応付けられている変調方式を特定し、各変調方式に最適な複数の振幅レベルの中から、特定した変調方式に最適な振幅レベルを選択する振幅レベル選択機能とを備え、（ｋ４）振幅レベル選択機能で選択された振幅レベルを、複数の変調方式に対して共用される振幅レベルとすることを特徴とする。
【０１５４】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１５５】
図１５は、本実施の形態における無線通信機の構成を示す図である。図１５に示されるように、無線通信機１１５０は、実施の形態１における無線通信機１５０と比べて（例えば、図２参照。）、ベースバンド信号処理部１００の代わりに、ベースバンド信号処理部１１００を備える点が異なる。
【０１５６】
ベースバンド信号処理部１１００は、制御部１０４の代わりに、制御部１１０４を備える。新たに、帯域保証レート情報記憶部１１１３、変調方式対応テーブル記憶部１１１４を備える。
【０１５７】
制御部１１０４は、共用振幅レベルでゲインを調整するときに、無線通信機１１５０に設定された帯域保証レートが示される帯域保証レート情報を帯域保証レート情報記憶部１１１３から読み出す。帯域保証レートに対して最適な変調方式が対応付けられている変調方式対応テーブルを変調方式対応テーブル記憶部１１１４から読み出す。読み出した変調方式対応テーブルから、読み出した帯域保証レート情報と対応付けられている変調方式を特定する。特定した変調方式に最適な振幅レベルを記憶しているものを入力源に選択させる制御信号をセレクタ１０６へ出力する。
【０１５８】
例えば、変調方式としてＯＦＤＭ方式とＤＳＳＳ方式とが混在して使用されているとする。この場合において、制御部１１０４は、特定した変調方式がＯＦＤＭ方式である場合は、ＯＦＤＭ用振幅レベル記憶部１０９を入力源として選択させる制御信号をセレクタ１０６へ出力する。また、特定した変調方式がＤＳＳＳ方式である場合は、ＤＳＳＳ用振幅レベル記憶部１１０を入力源として選択させる制御信号をセレクタ１０６へ出力する。
【０１５９】
帯域保証レート情報記憶部１１１３は、無線通信機１１５０に設定された帯域保証レートが示される帯域保証レート情報を記憶している。
【０１６０】
変調方式対応テーブル記憶部１１１４は、帯域保証レートに対して最適な変調方式が対応付けられている変調方式対応テーブルを記憶している。
【０１６１】
以上、本実施の形態における無線通信機１１５０によれば、無線通信機１１５０がハイレートで帯域保証を行っているか否かで、受信した信号の変調方式を類推し、類推した変調方式に最適な振幅レベルに調整用振幅レベルを設定する。
【０１６２】
例えば、変調方式としてＯＦＤＭ方式とＤＳＳＳ方式とが混在して使用されているとする。この場合において、無線通信機１１５０は、無線通信機１１５０が数十Ｍｂｐｓ以上のハイレートで帯域保証を行う場合は、変調方式としてＯＦＤＭ方式が使用されると類推し、ＯＦＤＭ用振幅レベルに調整用振幅レベルを設定する。また、無線通信機が数十Ｍｂｐｓ未満のローレートで帯域保証を行う場合は、変調方式としてＤＳＳＳ方式が使用されると類推し、ＤＳＳＳ用振幅レベルに調整用振幅レベルを設定する。このように、無線通信機１１５０は、調整用振幅レベルを適切に設定することができ、通信精度を向上させることができる。
【０１６３】
（実施の形態１２）
以下、本発明に係わる実施の形態１２について、図面を参照しながら説明する。
【０１６４】
本実施の形態における無線通信機は、（ｌ）（ｌ１）受信した信号のＳＮ比を測定するＳＮ比測定機能と、（ｌ２）ＳＮ比測定機能で測定されて得られた測定結果が所定のＳＮ比より小さい場合は、各変調方式に最適な複数の振幅レベルの中から、大きな振幅レベルを選択し、それ以外の場合は、小さな振幅レベルを選択する振幅レベル選択機能とを備え、（ｌ３）振幅レベル選択機能で選択された振幅レベルを、複数の変調方式に対して共用される振幅レベルとすることを特徴とする。
【０１６５】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１６６】
図１６は、本実施の形態における無線通信機の構成を示す図である。図１６に示されるように、無線通信機１２５０は、実施の形態１における無線通信機１５０と比べて、ベースバンド信号処理部１００の代わりに、ベースバンド信号処理部１２００を備える点が異なる。
【０１６７】
ベースバンド信号処理部１２００は、制御部１０４の代わりに、制御部１２０４を備える。新たに、ＳＮ比測定部１２１３、ＳＮ比閾値記憶部１２１４を備える。
【０１６８】
制御部１２０４は、共用振幅レベルでゲインを調整するときに、ＳＮ比測定部１２１３から出力された測定結果が入力すると、ＳＮ比閾値記憶部１２１４から閾値を読み出す。読み出した閾値と、入力した測定結果とを比較する。比較した結果、測定結果が閾値よりも小さい場合、すなわち、ＲＦ部１３０から出力された信号のＳＮ比が基準値より悪い場合は、大きな振幅レベルを記憶しているものを入力源として選択させる制御信号をセレクタ１０６へ出力する。それ以外の場合は、小さな振幅レベルを記憶しているものを入力源として選択させる制御信号をセレクタ１０６へ出力する。
【０１６９】
例えば、変調方式としてＯＦＤＭ方式とＤＳＳＳ方式とが混在して使用されているとする。この場合において、制御部１２０４は、測定結果が閾値よりも小さい場合は、ＤＳＳＳ用振幅レベル記憶部１１０を入力源として選択させる制御信号をセレクタ１０６へ出力する。それ以外の場合は、ＯＦＤＭ用振幅レベル記憶部１０９を入力源として選択させる制御信号をセレクタ１０６へ出力する。
【０１７０】
ＳＮ比測定部１２１３は、共用振幅レベルでゲインを調整するときに、ＲＦ部１３０から出力された信号のＳＮ比を測定する。測定結果を制御部１２０４へ出力する。
【０１７１】
ＳＮ比閾値記憶部１２１４は、所定のＳＮ比を閾値として記憶している。
以上、本実施の形態における無線通信機１２５０によれば、ＲＦ部１３０から出力された信号のＳＮ比が基準値より悪い場合は、大きめの振幅レベルに調整用振幅レベルを設定する。また、ＲＦ部１３０から出力された信号のＳＮ比が基準値より良い場合は、小さめの振幅レベルに調整用振幅レベルを設定する。
【０１７２】
例えば、変調方式としてＯＦＤＭ方式とＤＳＳＳ方式とが混在して使用されているとする。この場合において、無線通信機１２５０は、受信した信号のＳＮ比が閾値より悪いと、ＳＮ比を向上させるために、ＤＳＳＳ方式に最適化させた振幅レベルのように大きめの振幅レベルに調整用振幅レベルを設定する。一方、受信した信号のＳＮ比が閾値より良いと、ＯＦＤＭ用振幅レベルのように小さめの振幅レベルに調整用振幅レベルを設定する。
【０１７３】
このように、無線通信機１２５０は、受信の失敗の可能性が高い信号、すなわち、ＳＮ比の悪い信号については、調整用振幅レベルを高く設定する。これによって、ＳＮ比の向上を図り、通信性能の向上を実現することができる。
【０１７４】
（実施の形態１３）
以下、本発明に係わる実施の形態１３について、図面を参照しながら説明する。
【０１７５】
本実施の形態における無線通信機は、（ｍ）（ｍ１）受信した信号を復調するとともにＥＶＭ（Error Vector Magnitude）を算出する復調機能と、（ｍ２）復調機能で算出されたＥＶＭが所定のＥＶＭより大きい場合は、所定のレベル増加させた振幅レベルを生成し、それ以外の場合は、所定のレベル減少させた振幅レベルを生成する振幅レベル生成機能とを備え、（ｍ３）振幅レベル生成機能で生成された振幅レベルを、複数の変調方式に対して共用される振幅レベルとすることを特徴とする。
【０１７６】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１７７】
図１７は、本実施の形態における無線通信機の構成を示す図である。図１７に示されるように、無線通信機１３５０は、実施の形態１における無線通信機１５０と比べて（例えば、図２参照。）、ベースバンド信号処理部１００の代わりに、ベースバンド信号処理部１３００を備える点が異なる。
【０１７８】
ベースバンド信号処理部１３００は、制御部１０４、共用振幅レベル生成部１０７、ＯＦＤＭ用復調部１１１、ＤＳＳＳ用復調部１１２の代わりに、制御部１３０４、共用振幅レベル生成部１３０７、ＯＦＤＭ用復調部１３１１、ＤＳＳＳ用復調部１３１２を備える。新たに、ＥＶＭ（Error Vector Magnitude）記憶部１３１３、ＥＶＭ閾値記憶部１３１４を備える。
【０１７９】
制御部１３０４は、共用振幅レベルでゲインを調整するときに、ＥＶＭ記憶部１３１３からＥＶＭを読み出す。ＥＶＭ閾値記憶部１３１４から閾値を読み出す。読み出したＥＶＭが、読み出した閾値よりも大きい場合は、予め定められた振幅レベルより一定レベル増加した振幅レベルを生成させる制御信号を共用振幅レベル生成部１３０７へ出力する。そして、共用振幅レベル記憶部１０８を入力源として選択させる制御信号をセレクタ１０６へ出力する。
【０１８０】
共用振幅レベル生成部１３０７は、入力した制御信号が、予め定められた振幅レベルより一定レベル増加した振幅レベルを生成させる制御信号である場合は、予め定められた振幅レベルより一定レベル増加した振幅レベルを生成する。生成した振幅レベルを共用振幅レベル記憶部１０８に書き込む。
【０１８１】
ＯＦＤＭ用復調部１３１１は、ＲＦ部１３０から出力された信号が入力し、入力した信号がＯＦＤＭ方式で変調された信号である場合は、入力した信号をＯＦＤＭ方式に基づいて復調する。このとき、ＥＶＭを算出する。そして、パケット単位で信号を受信すると、算出したＥＶＭをＥＶＭ記憶部１３１３に書き込む。
【０１８２】
ＤＳＳＳ用復調部１３１２は、ＲＦ部１３０から出力された信号が入力し、入力した信号がＤＳＳＳ方式で変調された信号である場合は、入力した信号をＤＳＳＳ方式に基づいて復調する。このとき、ＥＶＭを算出する。そして、パケット単位で信号を受信すると、算出したＥＶＭをＥＶＭ記憶部１３１３に書き込む。
【０１８３】
ＥＶＭ記憶部１３１３は、ＯＦＤＭ用復調部１３１１で算出されたＥＶＭ、ＤＳＳＳ用復調部１３１２で算出されたＥＶＭを記憶している。
【０１８４】
ＥＶＭ閾値記憶部１３１４は、所定のＥＶＭを閾値として記憶している。
以上、本実施の形態における無線通信機１３５０によれば、受信した信号のＥＶＭが基準値より大きい場合は、すでに定められた振幅レベルより一定レベル増加した振幅レベルに調整用振幅レベルを設定する。これによって、直前に受信した信号から特定されるＥＶＭにより最適な振幅レベルを追従して探索することができ、通信精度をさらに向上させることができる。
【０１８５】
（実施の形態１４）
以下、本発明に係わる実施の形態１４について、図面を参照しながら説明する。
【０１８６】
本実施の形態における無線通信機は、（ｎ）（ｎ１）増幅機能に含まれる前段アンプ素子部の利得を補正する情報が登録されているゲイン補正テーブルを記憶しているゲイン補正テーブル記憶機能と、（ｎ２）ゲイン補正テーブル記憶機能で記憶されているゲイン補正テーブルに基づいて、前段アンプ素子部の利得をできるだけ大きくする振幅レベルを生成する振幅レベル生成機能とを備え、（ｎ３）振幅レベル生成機能で生成された振幅レベルを、複数の変調方式に対して共用される振幅レベルとすることを特徴とする。なお、（ｎ４）増幅機能は、受信した信号を増幅する前段アンプ素子部と、前段アンプ素子部で増幅されて得られた信号を増幅する後段アンプ素子部とを有する。
【０１８７】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１８８】
図１８は、本実施の形態における無線通信機の構成を示す図である。図１８に示されるように、無線通信機１４５０は、実施の形態１における無線通信機１５０と比べて（例えば、図２参照。）、ベースバンド信号処理部１００、ＲＦ部１３０の代わりに、ベースバンド信号処理部１４００、ＲＦ部１４３０を備える点が異なる。
【０１８９】
ＲＦ部１４３０は、前段アンプ素子部１４３１、後段アンプ素子部１４３１を備える。
ベースバンド信号処理部１４００は、制御部１０４、共用振幅レベル生成部１０７の代わりに、制御部１４０４、共用振幅レベル生成部１４０７を備える。新たに、ゲイン補正テーブル記憶部１４１３を備える。
【０１９０】
制御部１４０４は、共用振幅レベルでゲインを調整するときに、前段アンプ素子部１４３１のゲインをできるだけ大きくする振幅レベルを生成させる制御信号を共用振幅レベル生成部１４０７へ出力する。そして、共用振幅レベル記憶部１０８を入力源として選択させる制御信号をセレクタ１０６へ出力する。
【０１９１】
共用振幅レベル生成部１４０７は、入力した制御信号が、前段アンプ素子部１４３１のゲインをできるだけ大きくする振幅レベルを生成させる制御信号である場合は、前段アンプ素子部１４３１のゲインを補正する情報が登録されたゲイン補正テーブルをゲイン補正テーブル記憶部１４１３から読み出す。読み出したゲイン補正テーブルに基づいて、前段アンプ素子部１４３１のゲインをできるだけ大きくする振幅レベルを生成する。生成した振幅レベルを共用振幅レベル記憶部１０８に書き込む。
【０１９２】
ゲイン補正テーブル記憶部１４１３は、前段アンプ素子部１４３１のゲインを補正する情報が登録されたゲイン補正テーブルを記憶している。
【０１９３】
以上、本実施の形態における無線通信機１４５０によれば、前段アンプ素子部１４３１のゲインが大きくなる振幅レベルに調整用振幅レベルを設定する。これは、ＲＦ部１３０から出力される信号のＳＮ比が、前段アンプ素子部１４３１のゲインが高ければ高いほど高特性になる。そのため、前段アンプ素子部１４３１のゲインを高く設定できるように、調整用振幅レベルを調整することによって、ＲＦ部１３０から出力される信号のＳＮ比を向上させることができ、通信精度を向上させることができる。
【０１９４】
（実施の形態１５）
以下、本発明に係わる実施の形態１５について、図面を参照しながら説明する。
【０１９５】
本実施の形態における無線通信機は、（ｏ）（ｏ１）無線通信機が属する無線ネットワークを構成する端末で使用されている変調方式が示される端末構成情報を記憶している端末構成情報記憶機能と、（ｏ２）端末構成情報記憶機能で記憶されている端末構成情報に基づいて、使用している端末の数が最も多い変調方式を特定し、各変調方式に最適な複数の振幅レベルの中から、特定した変調方式に最適な振幅レベルを選択する振幅レベル選択機能とを備え、（ｏ３）振幅レベル選択機能で選択された振幅レベルを、複数の変調方式に対して共用される振幅レベルとすることを特徴とする。
【０１９６】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０１９７】
図１９は、本実施の形態における無線通信機の構成を示す図である。図１９に示されるように、無線通信機１５５０は、実施の形態１における無線通信機１５０と比べて（例えば、図２参照。）、ベースバンド信号処理部１００の代わりに、ベースバンド信号処理部１５００を備える点が異なる。
【０１９８】
ベースバンド信号処理部１５００は、制御部１０４、ＯＦＤＭ用復調部１１１、ＤＳＳＳ用復調部１１２の代わりに、制御部１５０４、ＯＦＤＭ用復調部１５１１、ＤＳＳＳ用復調部１５１２を備える。新たに、端末構成情報記憶部１５１３を備える。
【０１９９】
制御部１５０４は、共用振幅レベルでゲインを調整するときに、無線通信機１５５０が属する無線ネットワークを構成する端末で使用されている変調方式が特定される端末構成情報を端末構成情報記憶部１５１３から読み出す。読み出した端末構成情報に基づいて、使用頻度の最も高い変調方式を特定する。特定した変調方式に最適な振幅レベルを記憶しているものを入力源として選択させる制御信号をセレクタ１０６へ出力する。
【０２００】
例えば、変調方式としてＯＦＤＭ方式とＤＳＳＳ方式とが混在して使用されているとする。この場合において、制御部１５０４は、特定した変調方式がＯＦＤＭ方式である場合は、ＯＦＤＭ用振幅レベル記憶部１０９を入力源として選択させる制御信号をセレクタ１０６へ出力する。また、特定した変調方式がＤＳＳＳ方式である場合は、ＤＳＳＳ用振幅レベル記憶部１１０を入力源として選択させる制御信号をセレクタ１０６へ出力する。
【０２０１】
ＯＦＤＭ用復調部１５１１は、ＲＦ部１３０から出力された信号が入力し、入力した信号がＯＦＤＭ方式で変調された信号である場合は、入力した信号をＯＦＤＭ方式に基づいて復調する。復調して得られた信号からフレームを構成する。構成したフレームに親端末から送信された端末構成情報が含まれる場合は、構成したフレームから端末構成情報を抽出し、抽出した端末構成情報を端末構成情報記憶部１５１３に書き込む。
【０２０２】
ＤＳＳＳ用復調部１５１２は、ＲＦ部１３０から出力された信号が入力し、入力した信号がＤＳＳＳ方式で変調された信号である場合は、入力した信号をＤＳＳＳ方式に基づいて復調する。復調して得られた信号からフレームを構成する。構成したフレームに親端末から送信された端末構成情報が含まれる場合は、構成したフレームから端末構成情報を抽出し、抽出した端末構成情報を端末構成情報記憶部１５１３に書き込む。
【０２０３】
端末構成情報記憶部１５１３は、無線通信機１５５０が属する無線ネットワークを構成する端末で使用されている変調方式が特定される端末構成情報を記憶している。なお、端末構成情報は、予め親端末から送信されて、端末構成情報記憶部１５１３で記憶されている。
【０２０４】
以上、本実施の形態における無線通信機１５５０によれば、無線通信機１５５０が属する無線ネットワークの親端末から予め端末構成情報を受信し、受信した端末構成情報を使用して調整用振幅レベルを設定する。
【０２０５】
例えば、変調方式としてＯＦＤＭ方式とＤＳＳＳ方式とが混在して使用されているとする。この場合において、無線通信機１５５０は、無線通信機１５５０が属する無線ネットワークを構成する端末において、ＯＦＤＭ方式を使用する端末が最も多いことを端末構成情報から特定した場合は、ＯＦＤＭ用振幅レベルに調整用振幅レベルを設定する。一方、ＤＳＳＳ方式を使用する端末が最も多いことを端末構成情報から特定した場合は、ＤＳＳＳ用振幅レベルに調整用振幅レベルを設定する。このように、最多の端末で使用されている変調方式で最適な振幅レベルが調整用振幅レベルになる可能性が高いので、通信精度を向上させることができる。
【０２０６】
（実施の形態１６）
以下、本発明に係わる実施の形態１６について、図面を参照しながら説明する。
【０２０７】
本実施の形態における無線通信機は、（ｐ）最適な振幅レベルが最も大きい変調方式によって感度点の信号を検出することができる振幅レベルの範囲内で、プリアンブル長の最も短い変調方式に最適な振幅レベルに近い振幅レベルを、複数の変調方式に対して共用される振幅レベルとすることを特徴とする。
【０２０８】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０２０９】
図２０は、本実施の形態における無線通信機の構成を示す図である。図２０に示されるように、無線通信機１６５０は、実施の形態１における無線通信機１５０と比べて（例えば、図２参照。）、ベースバンド信号処理部１００の代わりに、ベースバンド信号処理部１６００を備える点が異なる。
【０２１０】
ベースバンド信号処理部１６００は、共用振幅レベル記憶部１０８の代わりに、共用振幅レベル記憶部１６０８を備える。
【０２１１】
共用振幅レベル記憶部１６０８は、予め受信試行のときに算出した振幅レベルを記憶している。なお、振幅レベルを算出するにあたり、感度点レベルの電界レベルの信号を正常に受信することができる振幅レベルの範囲を特定する。特定した範囲の中で、プリアンブル長の最も短い変調方式に最適な振幅レベルに近い振幅レベルを算出する。
【０２１２】
以上、本実施の形態における無線通信機１６５０によれば、振幅レベルの最も大きな変調方式において、感度点レベルの電界レベルの信号を正常に受信することができる振幅レベルの範囲の中で、プリアンブル長の最も短い変調方式に最適な振幅レベルに近い振幅レベルに調整用振幅レベルを設定する。
【０２１３】
例えば、変調方式としてＯＦＤＭ方式とＤＳＳＳ方式とが混在して使用されているとする。この場合において、無線通信機は、ＤＳＳＳ方式の受信感度点レベルの信号をＤＳＳＳ方式で受信可能な振幅レベルの範囲を特定する。特定した範囲の中で最もＯＦＤＭ用振幅レベルに近い振幅レベルに調整用振幅レベルを設定する。これによって、振幅レベルが最大の変調方式とプリアンブル長が最短の変調方式との両方に対して最適な振幅レベルに調整用振幅レベルを設定することができ、通信精度を向上させることができる。
【０２１４】
（実施の形態１７）
以下、本発明に係わる実施の形態１７について、図面を参照しながら説明する。
【０２１５】
本実施の形態における無線通信機は、（ｑ）プリアンブル長の最も短い変調方式に最適な振幅レベルから、増幅機能の利得の再調整が短時間で完了するように調整して得られた振幅レベルを、複数の変調方式に対して共用される振幅レベルとすることを特徴とする。
【０２１６】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０２１７】
図２１は、本実施の形態における無線通信機の構成を示す図である。図２１に示されるように、無線通信機１７５０は、実施の形態１における無線通信機１５０と比べて（例えば、図２参照。）、ベースバンド信号処理部１００の代わりに、ベースバンド信号処理部１７００を備える点が異なる。
【０２１８】
ベースバンド信号処理部１７００は、共用振幅レベル記憶部１０８の代わりに、共用振幅レベル記憶部１７０８を備える。
【０２１９】
共用振幅レベル記憶部１７０８は、予め受信試行のときに算出した振幅レベルを記憶している。なお、振幅レベルを算出するにあたり、プリアンブル長の最も短い変調方式に最適な振幅レベルに、ゲインの再調整が短時間で完了可能なオフセット量を加算した振幅レベルを算出する。
【０２２０】
例えば、変調方式としてＯＦＤＭ方式とＤＳＳＳ方式とが混在して使用されているとする。この場合において、共用振幅レベル記憶部１７０８は、プリアンブル長の最も短いＯＦＤＭ用振幅レベルに、ゲインの再調整が短時間で完了するように求められたオフセット量を加算して得られた振幅レベルを記憶している。
【０２２１】
以上、本実施の形態における無線通信機１７５０によれば、プリアンブル長の最も短い変調方式に最適な振幅レベルに、ゲインの再調整を短時間で完了可能なオフセット量を加算して得られた振幅レベルに調整用振幅レベルを設定する。これによって、調整用振幅レベル調整、パターン検出、ゲイン再調整までの処理を短時間で完了し、できるだけ長い時間をプリアンブルの復調に割り当てることができ、通信精度を向上させることができる。
【０２２２】
（実施の形態１８）
以下、本発明に係わる実施の形態１８について、図面を参照しながら説明する。
【０２２３】
本実施の形態における無線通信機は、（ｒ）各変調方式に最適な複数の振幅レベルを一定の割合で足し合わせて得られた振幅レベルを、複数の変調方式に対して共用される振幅レベルとすることを特徴とする。
【０２２４】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０２２５】
図２２は、本実施の形態における無線通信機の構成を示す図である。図２２に示されるように、無線通信機１８５０は、実施の形態１における無線通信機１５０と比べて（例えば、図２参照。）、ベースバンド信号処理部１００の代わりに、ベースバンド信号処理部１８００を備える点が異なる。
【０２２６】
ベースバンド信号処理部１８００は、共用振幅レベル記憶部１０８の代わりに、共用振幅レベル記憶部１８０８を備える。
【０２２７】
共用振幅レベル記憶部１８０８は、予め受信試行のときに算出した振幅レベルを記憶している。なお、振幅レベルを算出するにあたり、複数の変調方式の最適振幅レベルを一定の割合ずつ足し合わせた振幅レベルを算出する。
【０２２８】
以上、本実施の形態における無線通信機１８５０によれば、調整用振幅レベルを設定するアルゴリズムが最も単純で、実現するための回路構成も最も単純に実現することができる。
【０２２９】
（実施の形態１９）
以下、本発明に係わる実施の形態１９について、図面を参照しながら説明する。
【０２３０】
本実施の形態における無線通信機は、（ｓ）（ｓ１）受信した信号の電界レベルを計測する電界レベル計測機能と、（ｓ２）電界レベル計測機能で計測されて得られた計測結果が、所定の変調方式で変調された無線信号でしか受信することができない電界レベルを下回る場合は、各変調方式に最適な複数の振幅レベルの中から、所定の変調方式に最適な振幅レベルを選択する振幅レベル選択機能とを備え、（ｓ３）振幅レベル選択機能で選択された振幅レベルを、複数の変調方式に対して共用される振幅レベルとすることを特徴とする。
【０２３１】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０２３２】
図２３は、本実施の形態における無線通信機の構成を示す図である。図２３に示されるように、無線通信機１９５０は、実施の形態１における無線通信機１５０と比べて（例えば、図２参照。）、ベースバンド信号処理部１００の代わりに、ベースバンド信号処理部１９００を備える点が異なる。
【０２３３】
ベースバンド信号処理部１９００は、制御部１０４の代わりに、制御部１９０４を備える。新たに、電界レベル計測部１９１３、電界レベル閾値記憶部１９１４を備える。
【０２３４】
制御部１９０４は、共用振幅レベルでゲインを調整するときに、電界レベル計測部１９１３から出力された計測結果が入力すると、所定の変調方式で変調された無線信号しか受信することができなくなる電界レベルである閾値を電界レベル閾値記憶部１９１４から読み出す。読み出した閾値と、入力した計測結果とを比較する。比較した結果、計測結果が閾値よりも小さい場合は、所定の変調方式に最適な振幅レベルを記憶しているものを入力源として選択させる制御信号をセレクタ１０６へ出力する。
【０２３５】
例えば、変調方式としてＯＦＤＭ方式とＤＳＳＳ方式とが混在して使用されているとする。この場合において、制御部１９０４は、受信した信号の電界レベルが、ＤＳＳＳ方式で変調された無線信号しか受信できない電界レベルより小さい場合は、ＤＳＳＳ用振幅レベル記憶部１１０を入力源として選択させる制御信号をセレクタ１０６へ出力する。
【０２３６】
電界レベル計測部１９１３は、共用振幅レベルでゲインを調整するときに、ＲＦ部１３０から出力された信号が入力し、入力した信号の電界レベルを計測する。計測結果を制御部１９０４へ出力する。
【０２３７】
電界レベル閾値記憶部１９１４は、所定の変調方式で変調された無線信号しか受信することができなくなる電界レベルを閾値として記憶している。
【０２３８】
以上、本実施の形態における無線通信機１９５０によれば、受信した信号の電界レベルが、所定の変調方式の信号のみしか復調することができない場合は、所定の変調方式に最適な振幅レベルに調整用振幅レベルを設定する。
【０２３９】
例えば、変調方式としてＯＦＤＭ方式とＤＳＳＳ方式とが混在して使用されているとする。この場合において、ＯＦＤＭ方式よりＤＳＳＳ方式の方がより弱い信号を受信することができるので、受信した信号の電界レベルが、ＤＳＳＳ方式で変調された無線信号しか受信できない電界レベルより小さい場合は、ＤＳＳＳ用振幅レベルに調整用振幅レベルを設定する。これによって、簡単な構成で調整用振幅レベルをロスなく設定することができ、通信精度を向上させることができる。
【０２４０】
（実施の形態２０）
以下、本発明に係わる実施の形態２０について、図面を参照しながら説明する。
【０２４１】
本実施の形態における無線通信機は、（ｔ）（ｔ１）所定の時間間隔で選択する対象を切り替えながら、各変調方式に最適な複数の振幅レベルの中から振幅レベルを選択する振幅レベル選択機能を備え、（ｔ２）振幅レベル選択機能で選択された振幅レベルを、複数の変調方式に対して共用される振幅レベルとすることを特徴とする。
【０２４２】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０２４３】
図２４は、本実施の形態における無線通信機の構成を示す図である。図２４に示されるように、無線通信機２０５０は、実施の形態１における無線通信機１５０と比べて（例えば、図２参照。）、ベースバンド信号処理部１００の代わりに、ベースバンド信号処理部２０００を備える点が異なる。
【０２４４】
ベースバンド信号処理部２０００は、制御部１０４の代わりに、制御部２００４を備える。
【０２４５】
制御部２００４は、共用振幅レベルでゲインを調整するときに、振幅レベルを記憶しているものを所定の時間間隔で切り替え、切り替えたものを入力源として選択させる制御信号をセレクタ１０６へ出力する。
【０２４６】
例えば、変調方式としてＯＦＤＭ方式とＤＳＳＳ方式とが混在して使用されているとする。この場合において、制御部２００４は、まず、ＯＦＤＭ用振幅レベル記憶部１０９を入力源として選択させる制御信号をセレクタ１０６へ出力する。そして、所定の時間が経過すると、ＤＳＳＳ用振幅レベル記憶部１１０を入力源として選択させる制御信号をセレクタ１０６へ出力する。
【０２４７】
以上、本実施の形態における無線通信機２０５０によれば、所定の時間が経過するごとに、振幅レベルを切り替え、切り替えた振幅レベルに調整用振幅レベルを設定する。
【０２４８】
例えば、変調方式としてＯＦＤＭ方式とＤＳＳＳ方式とが混在して使用されているとする。この場合において、まず、ＯＦＤＭ用振幅レベルに調整用振幅レベルを設定する。そして、所定の時間が経過すると、ＤＳＳＳ用振幅レベルに調整用振幅レベルを設定する。このように、振幅レベルを切り替えることにより、各変調方式に最適な振幅レベルを使用してパターンを検出することができ、通信精度を向上させることができる。
【０２４９】
（実施の形態２１）
以下、本発明に係わる実施の形態２１について、図面を参照しながら説明する。
【０２５０】
本実施の形態における無線通信機は、（ｕ）（ｕ１）所定の変調方式に最適な振幅レベルから２の冪乗に近似して得られた振幅レベルを生成する振幅レベル生成機能を備え、（ｕ２）振幅レベル生成機能で生成された振幅レベルを、複数の変調方式に対して共用される振幅レベルとすることを特徴とする。
【０２５１】
以上の点を踏まえて、本実施の形態における無線通信機について説明する。
まず、本実施の形態における無線通信機の構成について説明する。なお、実施の形態１における構成要素と同一の構成要素については、同一の参照符号を付して説明を省略する。
【０２５２】
図２５は、本実施の形態における無線通信機の構成を示す図である。図２５に示されるように、無線通信機２１５０は、実施の形態１における無線通信機１５０と比べて（例えば、図２参照。）、ベースバンド信号処理部１００の代わりに、ベースバンド信号処理部２１００を備える点が異なる。
【０２５３】
ベースバンド信号処理部２１００は、制御部１０４の代わりに、制御部２１０４を備える。新たに、共用振幅レベル再生成部２１１３を備える。
【０２５４】
制御部２１０４は、共用振幅レベルでゲインを調整するときに、共用振幅レベルを再生成させる制御信号を共用振幅レベル再生成部２１１３へ出力する。そして、共用振幅レベル記憶部１０８を入力源として選択させる制御信号をセレクタ１０６へ出力する。
【０２５５】
共用振幅レベル再生成部２１１３は、共用振幅レベルでゲインを調整するときに、制御部２１０４から出力された制御信号が入力すると、共用振幅レベル記憶部１０８から振幅レベルを読み出す。読み出した振幅レベルを２のべき乗に近似し、近似して得られた振幅レベルを共用振幅レベル記憶部１０８に書き込む。
【０２５６】
以上、本実施の形態における無線通信機によれば、共用振幅レベルと、ゲイン再調整のときに使用される振幅レベルとが、２のべき乗であると、振幅情報の補正がビットシフトにより実現することができ、回路規模を削減させることができる。
【０２５７】
これは、各変調方式で変調された各信号を復調するにあたり、プリアンブルの振幅情報が必要であるので、パターン検出時にプリアンブルの振幅情報を取得する。しかし、パターン検出後にゲインを再調整するので、既に取得している振幅情報を補正する必要がある。
【０２５８】
（その他）
なお、実施の形態１〜２１におけるベースバンド信号処理部１００〜２１００は、フルカスタムＬＳＩ（Large Scale Integration）、ＡＳＩＣ（Application Specific Integrated Circuit）などのようなセミカスタムＬＳＩ、ＤＳＰ（Digital Signal Processor）、ＦＰＧＡ（Field Programmable Gate Array）やＣＰＬＤ（Complex Programmable Logic Device）などのようなプログラマブル・ロジック・デバイスに形成されるとしてもよい。
【産業上の利用可能性】
【０２５９】
本発明は、ＩＥＥＥ８０２．１１ｂ／ｇコンボ・チップのように、複数の変調方式に対応した無線通信機などとして、特に、ベースバンド信号の基準振幅レベルが異なる複数の変調方式に対応した無線通信機などとして、利用することができる。
【図面の簡単な説明】
【０２６０】
【図１】従来の技術における無線通信機の受信シーケンスを示す図
【図２】本発明に係わる実施の形態１における無線通信機の構成を示す図
【図３】本発明に係わる実施の形態１における無線通信機の受信シーケンスを示す図
【図４】本発明に係わる実施の形態２における無線通信機の構成を示す図
【図５】本発明に係わる実施の形態２における無線通信機の受信シーケンスを示す図
【図６】本発明に係わる実施の形態３における無線通信機の構成を示す図
【図７】本発明に係わる実施の形態３における無線通信機の受信シーケンスを示す図
【図８】本発明に係わる実施の形態４における無線通信機の構成を示す図
【図９】本発明に係わる実施の形態５における無線通信機の構成を示す図
【図１０】本発明に係わる実施の形態６における無線通信機の構成を示す図
【図１１】本発明に係わる実施の形態７における無線通信機の構成を示す図
【図１２】本発明に係わる実施の形態８における無線通信機の構成を示す図
【図１３】本発明に係わる実施の形態９における無線通信機の構成を示す図
【図１４】本発明に係わる実施の形態１０における無線通信機の構成を示す図
【図１５】本発明に係わる実施の形態１１における無線通信機の構成を示す図
【図１６】本発明に係わる実施の形態１２における無線通信機の構成を示す図
【図１７】本発明に係わる実施の形態１３における無線通信機の構成を示す図
【図１８】本発明に係わる実施の形態１４における無線通信機の構成を示す図
【図１９】本発明に係わる実施の形態１５における無線通信機の構成を示す図
【図２０】本発明に係わる実施の形態１６における無線通信機の構成を示す図
【図２１】本発明に係わる実施の形態１７における無線通信機の構成を示す図
【図２２】本発明に係わる実施の形態１８における無線通信機の構成を示す図
【図２３】本発明に係わる実施の形態１９における無線通信機の構成を示す図
【図２４】本発明に係わる実施の形態２０における無線通信機の構成を示す図
【図２５】本発明に係わる実施の形態２１における無線通信機の構成を示す図
【符号の説明】
【０２６１】
１００〜２１００  ベースバンド信号処理部
１０１，３０１  ＡＧＣ部
１０２  ＯＦＤＭ用パターンマッチング部
１０３  ＤＳＳＳ用パターンマッチング部
１０４〜１５０４，１９０４〜２１０４  制御部
１０５  調整用振幅レベル記憶部
１０６  セレクタ
１０７，１３０７，１４０７  共用振幅レベル生成部
１０８，１６０８〜１８０８  共用振幅レベル記憶部
１０９  ＯＦＤＭ用振幅レベル記憶部
１１０  ＤＳＳＳ用振幅レベル記憶部
１１１，７１１〜１０１１，１３１１  ＯＦＤＭ用復調部
１１２，７１２〜１０１２，１３１２  ＤＳＳＳ用復調部
１２０  受信アンテナ
１３０  ＲＦ部
１５０〜２１５０  無線通信機
６１３  電界レベル計測部
６１４  電界レベル閾値記憶部
７１３〜１０１３  統計情報管理部
７１４〜１０１４  統計情報記憶部
１１１３  帯域保証レート情報記憶部
１１１４  変調方式対応テーブル記憶部
１２１３  ＳＮ比測定部
１２１４  ＳＮ比閾値記憶部
１３１３  ＥＶＭ記憶部
１３１４  ＥＶＭ閾値記憶部
１４１３  ゲイン補正テーブル記憶部
１５１３  端末構成情報記憶部
１９１３  電界レベル計測部
１９１４  電界レベル閾値記憶部
２１１３  共用振幅レベル再生成部
【図１】
2008177869.tif 000003
【図２】
2008177869.tif 000004
【図３】
2008177869.tif 000005
【図４】
2008177869.tif 000006
【図５】
2008177869.tif 000007
【図６】
2008177869.tif 000008
【図７】
2008177869.tif 000009
【図８】
2008177869.tif 000010
【図９】
2008177869.tif 000011
【図１０】
2008177869.tif 000012
【図１１】
2008177869.tif 000013
【図１２】
2008177869.tif 000014
【図１３】
2008177869.tif 000015
【図１４】
2008177869.tif 000016
【図１５】
2008177869.tif 000017
【図１６】
2008177869.tif 000018
【図１７】
2008177869.tif 000019
【図１８】
2008177869.tif 000020
【図１９】
2008177869.tif 000021
【図２０】
2008177869.tif 000022
【図２１】
2008177869.tif 000023
【図２２】
2008177869.tif 000024
【図２３】
2008177869.tif 000025
【図２４】
2008177869.tif 000026
【図２５】
2008177869.tif 000027